(57)【要約】      （修正有）【課題】パケットに関する情報を取得するための方法およびネットワーク要素を提供する。【解決手段】ＵＥがベアラーを確立した後に、第１のネットワーク要素によって、第１の取得要求を第２のネットワーク要素に送信することであって、第１の取得要求が、第２のネットワーク要素に、ＵＥとパケット・データ・ネットワークＰＤＮとの間にあり、第２のネットワーク要素を通過するパケットに関する情報を取得することを指令するために使用されることと、第１のネットワーク要素によって、第２のネットワーク要素によって送信され、第１の取得要求に従って第２のネットワーク要素によって収集されるパケットに関する情報を受信することと、を含む。【選択図】図４Ａ
2017163571.tif 000002
【特許請求の範囲】
【請求項１】
ユーザー装置ＵＥがベアラーを確立した後に、第１の取得要求を第２のネットワーク要素に送信するように構成された送信ユニットであって、前記第１の取得要求が、前記第２のネットワーク要素に、前記ＵＥとパケット・データ・ネットワークＰＤＮとの間にあり、前記第２のネットワーク要素を通過するパケットに関する情報を取得することを指令するために使用される、送信ユニットと、
前記送信ユニットが前記第１の取得要求を送信した後に、パケットに関する情報を受信するように構成された受信ユニットであって、前記パケットに関する前記情報が、前記第２のネットワーク要素によって送信され、前記パケットに関する前記情報が、前記第１の取得要求に従って前記第２のネットワーク要素によって収集される、受信ユニットとを備え、
前記送信ユニットは、前記ＵＥの識別子を備える前記第１の取得要求を前記第２のネットワーク要素に送信するように特に構成され、前記第１の取得要求は、前記第２のネットワーク要素に、前記ＵＥの前記識別子に対応する前記ＵＥと前記ＰＤＮとの間にあり、前記第２のネットワーク要素を通過する前記パケットに関する前記情報を取得することを指令するために使用されるネットワーク要素。
【請求項２】
前記受信ユニットは、前記送信ユニットが前記第１の取得要求を送信する前に、第３のネットワーク要素によって送信された第２の取得要求を受信するようにさらに構成され、前記第２の取得要求は、前記ネットワーク要素に、前記ＵＥと前記ＰＤＮとの間にあり、前記第２のネットワーク要素を通過する前記パケットに関する前記情報を、前記第２のネットワーク要素から、取得することを指令するために使用され、
前記送信ユニットは、前記受信ユニットが前記第２の取得要求を受信した後に、前記第２の取得要求に従って前記第１の取得要求を前記第２のネットワーク要素に送信するように特に構成され、
前記パケットに関する前記情報を前記第３のネットワーク要素に送信するようにさらに構成され、前記パケットに関する前記情報は、前記受信ユニットによって受信される請求項１に記載のネットワーク要素。
【請求項３】
前記第３のネットワーク要素は、アプリケーション機能ＡＦエンティティまたは第１の機能公開システムであり、
前記ネットワーク要素は、ポリシーおよび課金ルール機能ＰＣＲＦエンティティまたは第２の機能公開システムであり、
前記第２のネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である請求項１又は２に記載のネットワーク要素。
【請求項４】
ユーザー装置ＵＥがベアラーを確立した後に、第２の取得要求を第１のネットワーク要素に送信するように構成された送信ユニットであって、前記第２の取得要求は、前記第１のネットワーク要素に、前記ＵＥとパケット・データ・ネットワークＰＤＮとの間にあり、前記第２のネットワーク要素を通過するパケットに関する情報を、前記第２のネットワーク要素から、取得することを指令するために使用され、これにより、前記第１のネットワーク要素は、前記第２の取得要求に従って前記第２のネットワーク要素から前記パケットに関する前記情報を取得し、前記パケットに関する前記情報は、前記第２のネットワーク要素によって収集される、送信ユニットと、
前記送信ユニットが前記第２の取得要求を送信した後に、前記パケットに関する前記情報を受信するように構成された受信ユニットであって、前記パケットに関する前記情報は、前記第２のネットワーク要素によって収集され、前記第１のネットワーク要素によって送信される受信ユニットとを備え、
前記送信ユニットは、前記受信ユニットが前記パケットに関する前記情報を受信した後に、第２のパケット情報キャンセル要求を前記第１のネットワーク要素に送信するようにさらに構成され、前記第２のパケット情報キャンセル要求は、前記第１のネットワーク要素に、前記パケットに関する前記情報の取得をキャンセルするための第１のパケット情報キャンセル要求を前記第２のネットワーク要素に送信することを指令するために使用され、これにより、前記第２のネットワーク要素は、前記第１のパケット情報キャンセル要求に従って、前記パケットに関する前記情報を収集するオペレーションをキャンセルするネットワーク要素。
【請求項５】
前記ネットワーク要素は、アプリケーション機能ＡＦエンティティまたは第１の機能公開システムであり、
前記第１のネットワーク要素は、ポリシーおよび課金ルール機能ＰＣＲＦエンティティまたは第２の機能公開システムであり、
前記第２のネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である請求項４に記載のネットワーク要素。
【請求項６】
前記送信ユニットは、前記ＵＥが前記ベアラーを確立した後に、フィルタリング条件を備える前記第２の取得要求を前記第１のネットワーク要素に送信するように特に構成され、前記第２の取得要求は、前記第１のネットワーク要素に、前記ＵＥと前記ＰＤＮとの間にあり、前記第２のネットワーク要素を通過する前記パケットに関する前記情報を、前記フィルタリング条件に従って前記第２のネットワーク要素から、取得することを指令するために使用されるか、または
前記ＵＥが前記ベアラーを確立した後に、指示情報を備える前記第２の取得要求を前記第１のネットワーク要素に送信するように特に構成され、前記第２の取得要求は、前記第１のネットワーク要素に、前記ＵＥと前記ＰＤＮとの間にあり、前記第２のネットワーク要素を通過する前記パケットに関する前記情報を、前記指示情報に従って前記第２のネットワーク要素から、取得することを指令するために使用される請求項４又は５に記載のネットワーク要素。
【請求項７】
ユーザー装置ＵＥがベアラーを確立した後に、第１のネットワーク要素によって送信された第１の取得要求を受信するように構成された受信機であって、前記第１の取得要求が、前記ネットワーク要素に、前記ＵＥとパケット・データ・ネットワークＰＤＮとの間にあり、前記ネットワーク要素を通過するパケットに関する情報を取得することを指令するために使用される、受信機と、
前記受信機が前記第１の取得要求を受信した後に、前記第１の取得要求に従って前記パケットに関する前記情報を収集するように構成されたプロセッサと、
前記パケットに関する前記情報を前記第１のネットワーク要素に送信するように構成された送信機であって、前記パケットに関する前記情報は、前記プロセッサによって収集される、送信機とを備え、
前記第１の取得要求は、前記第１のネットワーク要素が第３のネットワーク要素によって送信された第２の取得要求を受信した後に、前記第１のネットワーク要素によって送信されるネットワーク要素。
【発明の詳細な説明】
【技術分野】
【０００１】
本発明は、通信技術に関し、特に、パケットに関する情報を取得するための方法およびネットワーク要素に関する。
【背景技術】
【０００２】
異なるサービス・データ・ストリームに異なるポリシーおよび課金制御を実装するために、第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、略して３ＧＰＰ）は、ポリシーおよび課金制御（Ｐｏｌｉｃｙ  ａｎｄ  Ｃｈａｒｇｉｎｇ  Ｃｏｎｔｒｏｌ、略してＰＣＣ）システムを定義している。ＰＣＣシステムは、ポリシーおよび課金ルール機能（Ｐｏｌｉｃｙ  ａｎｄ  Ｃｈａｒｇｉｎｇ  Ｒｕｌｅｓ  Ｆｕｎｃｔｉｏｎ、略してＰＣＲＦ）エンティティ、ポリシーおよび課金施行機能（Ｐｏｌｉｃｙ  ａｎｄ  Ｃｈａｒｇｉｎｇ  Ｅｎｆｏｒｃｅｍｅｎｔ  Ｆｕｎｃｔｉｏｎ、略してＰＣＥＦ）エンティティ、トラフィック検出機能（Ｔｒａｆｆｉｃ  Ｄｅｔｅｃｔｉｏｎ  Ｆｕｎｃｔｉｏｎ、略してＴＤＦ）エンティティ、ベアラー・バインディングおよびイベント報告機能（Ｂｅａｒｅｒ  Ｂｉｎｄｉｎｇ  ａｎｄ  Ｅｖｅｎｔ  Ｒｅｐｏｒｔｉｎｇ  Ｆｕｎｃｔｉｏｎ、略してＢＢＥＲＦ）エンティティ、サブスクリプション・プロファイル・リポジトリ（Ｓｕｂｓｃｒｉｐｔｉｏｎ  Ｐｒｏｆｉｌｅ  Ｒｅｐｏｓｉｔｏｒｙ、略してＳＰＲ）、およびアプリケーション機能（Ａｐｐｌｉｃａｔｉｏｎ  Ｆｕｎｃｔｉｏｎ、略してＡＦ）エンティティなどの機能エンティティを含む。
【０００３】
ＰＣＣシステムにおいて、一組のイベント・サブスクリプション・メカニズムが定義される。ＡＦは、ＰＣＲＦによって提供されるイベントにサブスクライブすることができ、ＰＣＲＦは、ＰＣＥＦ、ＢＢＥＲＦ、およびＴＤＦなどのエンティティによって提供される関係するイベントにさらにサブスクライブし、イベントが発生した場合に、ＰＣＥＦは、そのイベントをＰＣＲＦに報告し、ＰＣＲＦは、そのイベントをＡＦにさらに報告する。ＰＣＲＦそれ自体も、ＰＣＲＦ決定の入力としてＰＣＥＦ、ＢＢＥＲＦ、およびＴＤＦによって提供されるイベントにサブスクライブすることができる。
【０００４】
ＰＣＲＦによって提供され、ＡＦによってサブスクライブされ得るイベントは、課金関連情報交換、ベアラー喪失、ベアラー解放、ベアラー復旧、アクセス・ネットワーク・タイプの変更、プリペイド・ユーザーのクオータ涸渇（quota exhaustion of a prepaid user）、リソース割り当て成功、リソース割り当て失敗、ユーザー装置（Ｕｓｅｒ  Ｅｑｕｉｐｍｅｎｔ、略してＵＥ）ロケーションの変更、ＵＥ時間帯の変更、および同様のものを含む。
【０００５】
ＰＣＥＦによって提供され、ＰＣＲＦによってサブスクライブされ得るイベントは、サービス品質（Ｑａｕｌｉｔｙ  ｏｆ  Ｓｅｒｖｉｃｅ、略してＱｏＳ）の変更、サービング汎用パケット無線サービス・サポート・ノード（Ｓｅｒｖｉｎｇ  ＧＰＲＳ  Ｓｕｐｐｏｒｔ  Ｎｏｄｅ、略してＳＧＳＮ）の変更、アクセス・ネットワーク・タイプの変更、ベアラー喪失、ベアラー復旧、プリペイド・ユーザーのクオータ涸渇、プリペイド・ユーザーのクオータ回復、ＵＥに対するインターネット・プロトコル（Ｉｎｔｅｒｎｅｔ  Ｐｒｏｔｏｃｏｌ、略してＩＰ）アドレス割り当て、ＵＥに対するＩＰアドレス解放、アクセス・ゲートウェイの変更、リソース割り当て成功、ＵＥロケーションの変更、ＵＥ時間帯の変更、および同様のものを含む。
【０００６】
しかし、既存のＰＣＣシステムでは、ＡＦまたはＰＣＲＦは、ベアラー・プレーン上のいくつかのイベントを取得することができるが、パケットに関する情報を取得することはできない。パケットの情報は、パイプライン伝送機能の理解を高め、それに応じて、サービスを調整し、ユーザー・サービス・エクスペリエンスを改善し、サービス障害原因を特定するうえで、チャネルに対する、およびＡＦ、ＡＦが属すサービス・プロバイダに対する透過性を高めるために非常に重要である。したがって、ＰＣＣシステムを使用することによってユーザー装置に関係するパケットに関する情報をどのように取得するかということが、現在解決される必要のある技術的問題となっている。
【発明の概要】
【発明が解決しようとする課題】
【０００７】
以上のことを鑑みて、本発明は、ＰＣＣシステムが従来技術でユーザー装置に関係するパケットに関する情報を取得することができないという問題を解決するために、パケットに関する情報を取得するための方法およびネットワーク要素を実現する。
【課題を解決するための手段】
【０００８】
第１の態様により本発明の一実施形態は、パケットに関する情報を取得するための方法を提供し、この方法は
ＵＥがベアラーを確立した後に、第１のネットワーク要素によって、第１の取得要求を第２のネットワーク要素に送信することであって、第１の取得要求は、第２のネットワーク要素に、ＵＥとＰＤＮとの間にあり、第２のネットワーク要素を通過するパケットに関する情報を取得することを指令するために使用されることと、
第１のネットワーク要素によって、パケットに関する情報を受信することであって、パケットに関する情報は、第１の取得要求に従って第２のネットワーク要素によって収集され、第２のネットワーク要素によって送信されることとを含む。
【０００９】
第１の態様を参照すると、第１の可能な実装方法において、第１のネットワーク要素によって、第１の取得要求を第２のネットワーク要素に送信するステップの前に、この方法は、
第１のネットワーク要素によって、第３のネットワーク要素によって送信された第２の取得要求を受信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用されることをさらに含み、
第１のネットワーク要素によって、第１の取得要求を第２のネットワーク要素に送信することは、
第１のネットワーク要素によって、第１の取得要求を第２のネットワーク要素に、第２の取得要求に従って送信することと、
第１のネットワーク要素によって、パケットに関する情報を受信するステップであって、パケットに関する情報が、第２のネットワーク要素によって送信される、ステップの後、この方法は、
第１のネットワーク要素によって、パケットに関する情報を第３のネットワーク要素に送信することをさらに含む。
【００１０】
第１の態様および前述の可能な実装方法を参照すると、第２の可能な実装方法において、第１の取得要求が少なくともＵＥの識別子を含む場合、第１のネットワーク要素によって、第１の取得要求を第２のネットワーク要素に送信することは、
第１のネットワーク要素によって、ＵＥの識別子を含む第１の取得要求を第２のネットワーク要素に送信することであって、第１の取得要求は、第２のネットワーク要素に、ＵＥの識別子に対応するＵＥとＰＤＮとの間にあり、第２のネットワーク要素を通過するパケットに関する情報を取得することを指令するために使用されることを含む。
【００１１】
第１の態様および第１の可能な実装方法を参照すると、第３の可能な実装様式において、第２の取得要求が少なくともＵＥの識別子を含み、第１の取得要求が少なくともＵＥの識別子を含む場合、
第１のネットワーク要素によって、第３のネットワーク要素によって送信された第２の取得要求を受信することは、
第１のネットワーク要素によって、ＵＥの識別子を含み、第３のネットワーク要素によって送信される第２の取得要求を受信することであって、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用されることを含み、
第１のネットワーク要素によって、第１の取得要求を第２のネットワーク要素に送信することは、
第１のネットワーク要素によって、ＵＥの識別子を含む第１の取得要求を第２のネットワーク要素に送信することであって、第１の取得要求は、第２のネットワーク要素に、ＵＥの識別子に対応するＵＥとＰＤＮとの間にあり、第２のネットワーク要素を通過するパケットに関する情報を取得することを指令するために使用されることを含む。
【００１２】
第１の態様および前述の可能な実装方法を参照すると、第４の可能な実装方法において、この方法は、
第１のネットワーク要素によって、ＵＥの識別子を含み、第３のネットワーク要素によって送信される第２のパケット情報キャンセル要求を受信することであって、第２のパケット情報キャンセル要求は、第１のネットワーク要素に、ＵＥの識別子に対応するパケットに関する情報の取得をキャンセルするための第１のパケット情報キャンセル要求を第２のネットワーク要素に送信することを指令するために使用されることと、
第１のネットワーク要素によって、ＵＥの識別子を含む第１のパケット情報キャンセル要求を第２のネットワーク要素に送信することであって、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルすることとをさらに含む。
【００１３】
第１の態様および第４の可能な実装方法を参照すると、第５の可能な実装方法において、第１のネットワーク要素によって、ＵＥの識別子を含む第１のパケット情報キャンセル要求を第２のネットワーク要素に送信するステップの後に、この方法は、
第２のネットワーク要素が、第１のパケット情報キャンセル要求を受信する前に、ＵＥの  識別子に対応するＵＥとＰＤＮとの間にあり、第２のネットワーク要素を通過するパケットに関する情報をさらに収集する場合に、第１のネットワーク要素によって、パケットに関する情報を受信することであって、パケットに関する情報は、第２のネットワーク要素によって収集され、第２のネットワーク要素によって送信されることと、
第１のネットワーク要素によって、パケットに関する情報を第３のネットワーク要素に送信することをさらに含む。
【００１４】
第１の態様および第１の可能な実装方法を参照すると、第６の可能な実装方法において、第１のネットワーク要素によって、第３のネットワーク要素によって送信された第２の取得要求を受信するステップの後、および第１のネットワーク要素によって、第１の取得要求を第２のネットワーク要素に送信するステップの前に、この方法は、
第１のネットワーク要素によって、ＵＥの認可情報がＵＥのサブスクリプション情報の中に存在することを判定することであって、
ＵＥの認可情報は、ＵＥがＵＥとＰＤＮとの間のパケットに関する情報の提供を許可するという情報であることをさらに含む。
【００１５】
第１の態様および第３の可能な実装方法を参照すると、第７の可能な実装方法において、第１のネットワーク要素によって、第３のネットワーク要素によって送信された第２の取得要求を受信するステップの後、および第１のネットワーク要素によって、第１の取得要求を第２のネットワーク要素に送信するステップの前に、この方法は、
第１のネットワーク要素によって、ＵＥの識別子に従ってＳＰＲ／ＵＤＲから、ＵＥの識別子に対応するＵＥのサブスクリプション情報を取得することと、
第１のネットワーク要素によって、ＵＥの認可情報がＵＥのサブスクリプション情報の中に存在することを判定することであって、
ＵＥの認可情報は、ＵＥがＵＥとＰＤＮとの間のパケットに関する情報の提供を許可するという情報であることをさらに含む。
【００１６】
第１の態様および第３の可能な実装方法を参照すると、第８の可能な実装方法において、第１のネットワーク要素によって、第３のネットワーク要素によって送信された第２の取得要求を受信するステップの後、および第１のネットワーク要素によって、第１の取得要求を第２のネットワーク要素に送信するステップの前に、この方法は、
第１のネットワーク要素によって、認可要求をＵＥの識別子に対応するＵＥに送信することであって、認可要求は、ＵＥがＵＥとＰＤＮとの間のパケットに関する情報の提供を許可するという情報を含むことと、
ＵＥが、ＵＥとＰＤＮとの間のパケットに関する情報の提供を許可する場合に、第１のネットワーク要素によって、認可要求に従ってＵＥによって送信されるＵＥの認可情報を受信することであって、
ＵＥの認可情報は、ＵＥがＵＥとＰＤＮとの間のパケットに関する情報の提供を許可するという情報であることとをさらに含む。
【００１７】
第１の態様を参照すると、第９の可能な実装方法において、第１の取得要求が少なくとも指定されたファイル・サーバー・アドレスに関する情報を含む場合、第１のネットワーク要素によって、第１の取得要求を第２のネットワーク要素に送信することは、
第１のネットワーク要素によって、指定されたファイル・サーバー・アドレスに関する情報を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードすることを含む。
【００１８】
第１の態様および第１の可能な実装方法を参照すると、第１０の可能な実装方法において、第２の取得要求は、少なくとも指定されたファイル・サーバー・アドレスに関する情報を含み、第１の取得要求は、少なくとも指定されたファイル・サーバー・アドレスに関する情報を含み、
第１のネットワーク要素によって、第３のネットワーク要素によって送信された第２の取得要求を受信することは、
第１のネットワーク要素によって、指定されたファイル・サーバー・アドレスに関する情報を含み、第３のネットワーク要素によって送信される第２の取得要求を受信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードすることを含み、
第１のネットワーク要素によって、第１の取得要求を第２のネットワーク要素に送信することは、
第１のネットワーク要素によって、指定されたファイル・サーバー・アドレスに関する情報を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードすることを含む。
【００１９】
第１の態様を参照すると、第１１の可能な実装方法において、第１の取得要求は、少なくとも指定された報告先サーバー・アドレスに関する情報を含み、
第１のネットワーク要素によって、第１の取得要求を第２のネットワーク要素に送信することは、
第１のネットワーク要素によって、指定された報告先サーバー・アドレスに関する情報を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードすることを含む。
【００２０】
第１の態様および第１の可能な実装方法を参照すると、第１２の可能な実装方法において、第２の取得要求は、少なくとも指定された報告先ファイル・サーバー・アドレスに関する情報を含み、第１の取得要求は、少なくとも指定された報告先サーバー・アドレスに関する情報を含み、
第１のネットワーク要素によって、第３のネットワーク要素によって送信された第２の取得要求を受信することは、
第１のネットワーク要素によって、指定された報告先サーバー・アドレスに関する情報を含み、第３のネットワーク要素によって送信される第２の取得要求を受信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードすることを含み、
第１のネットワーク要素によって、第１の取得要求を第２のネットワーク要素に送信することは、
第１のネットワーク要素によって、指定された報告先サーバー・アドレスに関する情報を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードすることを含む。
【００２１】
第１の態様および前述の可能な実装方法のうちのいずれか１つを参照すると、第１３の可能な実装方法において、第３のネットワーク要素は、ＡＦまたは第１の機能公開システム（capability exposure system）であり、
第１のネットワーク要素は、ＰＣＲＦまたは第２の機能公開システムであり、
第２のネットワーク要素は、ＰＣＥＦ、ＴＤＦ、ＢＢＥＲＦ、ゲートウェイ、または基地局である。
【００２２】
第１の態様を参照すると、第１４の可能な実装方法において、第１の取得要求は、少なくともフィルタリング条件または指示情報を含み、
第１のネットワーク要素によって、第１の取得要求を第２のネットワーク要素に送信することは、
第１のネットワーク要素によって、フィルタリング条件を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を、フィルタリング条件に従って、取得することを指令するために使用されることを含むか、
または
第１のネットワーク要素によって、第１の取得要求を第２のネットワーク要素に送信することは、
第１のネットワーク要素によって、指示情報を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を、指示情報に従って、取得することを指令するために使用されることを含む。
【００２３】
第１の態様および第１の可能な実装方法を参照すると、第１５の可能な実装方法において、第２の取得要求は、少なくともフィルタリング条件または指示情報を含み、第１の取得要求は、少なくともフィルタリング条件または指示情報を含み、
第１のネットワーク要素によって、第１の取得要求を第２のネットワーク要素に送信することは、
第１のネットワーク要素によって、フィルタリング条件を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を、フィルタリング条件に従って、取得することを指令するために使用されることを含み、
第１のネットワーク要素によって、第３のネットワーク要素によって送信された第２の取得要求を受信することは、
第１のネットワーク要素によって、フィルタリング条件を含み、第３のネットワーク要素によって送信される第２の取得要求を受信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、パケットに関する情報は、フィルタリング条件に従って第２のネットワーク要素によって収集されることを含むか、
または
第１のネットワーク要素によって、第１の取得要求を第２のネットワーク要素に送信することは、
第１のネットワーク要素によって、指示情報を含む第１の取得要求を第２のネットワーク要素に送信することであって、第１の取得要求は、第２のネットワーク要素に、ＵＥとＰＤＮとの間にあり、第２のネットワーク要素を通過するパケットに関する情報を、指示情報に従って、取得することを指令するために使用されることを含み、
第１のネットワーク要素によって、第３のネットワーク要素によって送信された第２の取得要求を受信することは、
第１のネットワーク要素によって、指示情報を含み、第３のネットワーク要素によって送信される第２の取得要求を受信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、パケットに関する情報は、指示情報に従って第２のネットワーク要素によって収集されることを含む。
【００２４】
第２の態様により本発明の一実施形態は、パケットに関する情報を取得するための方法を提供し、この方法は
ＵＥがベアラーを確立した後に、第３のネットワーク要素によって、第２の取得要求を第１のネットワーク要素に送信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第１のネットワーク要素は第２の取得要求に従って第２のネットワーク要素からパケットに関する情報を取得し、パケットに関する情報が第２のネットワーク要素によって収集されることと、
第３のネットワーク要素によって、パケットに関する情報を受信することであって、パケットに関する情報が、第１のネットワーク要素によって送信されることとを含む。
【００２５】
第２の態様を参照すると、第１の可能な実装方法において、第２の取得要求は、少なくともＵＥの識別子を含み、
第３のネットワーク要素によって、第２の取得要求を第１のネットワーク要素に送信することは、
第３のネットワーク要素によって、ＵＥの識別子を含む第２の取得要求を第１のネットワーク要素に送信することであって、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からＵＥの識別子に対応するパケットに関する情報を取得し、パケットに関する情報が第２のネットワーク要素によって収集されることを含む。
【００２６】
第２の態様を参照すると、第２の可能な実装方法において、この方法は、
第３のネットワーク要素によって、第２のパケット情報キャンセル要求を第１のネットワーク要素に送信することであって、第２のパケット情報キャンセル要求は、第１のネットワーク要素に、パケットに関する情報の取得をキャンセルするための第１のパケット情報キャンセル要求を第２のネットワーク要素に送信することを指令するために使用され、これにより、第２のネットワーク要素は、第１のパケット情報キャンセル要求に従って、パケットに関する情報を収集するオペレーションをキャンセルすることをさらに含む。
【００２７】
第２の態様を参照すると、第３の可能な実装方法において、第２の取得要求は、少なくとも指定された報告先サーバー・アドレスに関する情報を含み、
第３のネットワーク要素によって、第２の取得要求を第１のネットワーク要素に送信することは、
第３のネットワーク要素によって、指定された報告先サーバー・アドレスに関する情報を含む第２の取得要求を第１のネットワーク要素に送信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードすることを含む。
【００２８】
第２の態様を参照すると、第４の可能な実装方法において、第２の取得要求は、少なくとも指定されたファイル・サーバー・アドレスに関する情報を含み、
第３のネットワーク要素によって、第２の取得要求を第１のネットワーク要素に送信することは、
第３のネットワーク要素によって、指定されたファイル・サーバー・アドレスに関する情報を含む第２の取得要求を第１のネットワーク要素に送信することであって、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードすることを含む。
【００２９】
第２の態様および前述の可能な実装方法を参照すると、第５の可能な実装方法において、第３のネットワーク要素は、ＡＦまたは第１の機能公開システムであり、
第１のネットワーク要素は、ＰＣＲＦまたは第２の機能公開システムであり、
第２のネットワーク要素は、ＰＣＥＦ、ＴＤＦ、ＢＢＥＲＦ、ゲートウェイ、または基地局である。
【００３０】
第２の態様および前述の可能な実装方法を参照すると、第６の可能な実装方法において、第２の取得要求は、少なくともフィルタリング条件または指示情報を含み、
第３のネットワーク要素によって、第２の取得要求を第１のネットワーク要素に送信することは、
第３のネットワーク要素によって、フィルタリング条件を含む第２の取得要求を第１のネットワーク要素に送信することであって、第２の取得要求は、第１のネットワーク要素に、ＵＥとＰＤＮとの間にあり、第２のネットワーク要素を通過するパケットに関する情報を、フィルタリング条件に従って第２のネットワーク要素から、取得することを指令するために使用されることを含むか、
または
第３のネットワーク要素によって、第２の取得要求を第１のネットワーク要素に送信することは、
第３のネットワーク要素によって、指示情報を含む第２の取得要求を第１のネットワーク要素に送信することであって、第２の取得要求は、第１のネットワーク要素に、ＵＥとＰＤＮとの間にあり、第２のネットワーク要素を通過するパケットに関する情報を、指示情報に従って第２のネットワーク要素から、取得することを指令するために使用されることを含む。
【００３１】
第３の態様により、本発明の一実施形態は、パケットに関する情報を取得するための方法を提供し、この方法は
ＵＥがベアラーを確立した後に、第２のネットワーク要素によって、第１のネットワーク要素によって送信された第１の取得要求を受信することであって、第１の取得要求は、第２のネットワーク要素に、ＵＥとＰＤＮとの間にあり、第２のネットワーク要素を通過するパケットに関する情報を取得することを指令するために使用されることと、
第２のネットワーク要素によって、第１の取得要求に従ってパケットに関する情報を収集し、パケットに関する収集された情報を第１のネットワーク要素に送信することとを含む。
【００３２】
第３の態様を参照すると、第１の可能な実装方法において、第１の取得要求は、第１のネットワーク要素が第３のネットワーク要素によって送信された第２の取得要求を受信した後に第１のネットワーク要素によって送信される。
【００３３】
第３の態様を参照すると、第２の可能な実装方法において、
第１の取得要求は、少なくともＵＥの識別子を含み、
第２のネットワーク要素によって、第１のネットワーク要素によって送信された第１の取得要求を受信することは、
第２のネットワーク要素によって、ＵＥの識別子を含み、第１のネットワーク要素によって送信される第１の取得要求を受信することであって、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得することを指令するために使用されることを含み、
第２のネットワーク要素によって、第１の取得要求に従ってパケットに関する情報を収集することは、
第２のネットワーク要素によって、第１の取得要求に従って、ＵＥの識別子に対応するパケットに関する情報を収集することを含む。
【００３４】
第３の態様を参照すると、第３の可能な実装方法において、
第２のネットワーク要素は、第１のネットワーク要素によって送信された第１のパケット情報キャンセル要求を受信し、第１のパケット情報キャンセル要求に従って、ＵＥとＰＤＮとの間にあり、第２のネットワーク要素を通過するパケットに関する情報の収集をキャンセルする。
【００３５】
第３の態様および第３の可能な実装方法を参照すると、第４の可能な実装方法において、第１のパケット情報キャンセル要求は、第１のネットワーク要素が第３のネットワーク要素によって送信された第２のパケット情報キャンセル要求を受信した後に第１のネットワーク要素によって送信される。
【００３６】
第３の態様を参照すると、第５の可能な実装方法において、第１の取得要求は、少なくとも指定されたファイル・サーバー・アドレスに関する情報を含み、
第２のネットワーク要素によって、第１のネットワーク要素によって送信された第１の取得要求を受信することは、
第２のネットワーク要素によって、指定されたファイル・サーバー・アドレスに関する情報を含み、第１のネットワーク要素によって送信される第１の取得要求を受信することであって、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する情報をファイルとして格納し、指定されたファイル・サーバー・アドレスに関する情報に対応するファイル・サーバーにファイルをアップロードすることを指令するために使用されることを含み、
第２のネットワーク要素によって、第１の取得要求に従ってパケットに関する情報を収集し、パケットに関する収集された情報を第１のネットワーク要素に送信することは、
第２のネットワーク要素によって、第１の取得要求に従ってパケットに関する情報を収集し、パケットに関する収集された情報をファイルとして格納し、ファイルを指定されたファイル・サーバー・アドレスに関する情報に対応するファイル・サーバーにアップロードすることを含むか、
または
第１の取得要求は、少なくとも指定された報告先サーバー・アドレスに関する情報を含み、
第２のネットワーク要素によって、第１のネットワーク要素によって送信された第１の取得要求を受信することは、
第２のネットワーク要素によって、指定された報告先サーバー・アドレスに関する情報を含み、第１のネットワーク要素によって送信される第１の取得要求を受信することであって、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する収集された情報を指定された報告先サーバー・アドレスに関する情報に対応するサーバーにアップロードすることを指令するために使用されることを含み、
第２のネットワーク要素によって、第１の取得要求に従ってパケットに関する情報を収集し、パケットに関する収集された情報を第１のネットワーク要素に送信することは、
第２のネットワーク要素によって、第１の取得要求に従ってパケットに関する情報を収集し、パケットに関する収集された情報を指定された報告先サーバー・アドレスに関する情報に対応するサーバーにアップロードすることを含む。
【００３７】
第３の態様および第５の可能な実装方法を参照すると、第６の可能な実装方法において、ファイルを指定されたファイル・サーバー・アドレスに関する情報に対応するファイル・サーバーにアップロードするステップの前に、この方法は、
第２のネットワーク要素によって、指定されたファイル・サーバー・アドレスに関する情報に従ってファイル・サーバーとのデータ伝送チャネルを確立することをさらに含むか、
または
パケットに関する収集された情報を指定された報告先サーバー・アドレスに関する情報に対応するサーバーにアップロードするステップの前に、この方法は、
第２のネットワーク要素によって、指定された報告先サーバー・アドレスに関する情報に従ってサーバーとのデータ伝送チャネルを確立することをさらに含む。
【００３８】
第３の態様を参照すると、第７の可能な実装方法において、第１の取得要求は、少なくともフィルタリング条件または指示情報を含み、
第２のネットワーク要素によって、第１のネットワーク要素によって送信された第１の取得要求を受信することは、
第２のネットワーク要素によって、フィルタリング条件を含み、第１のネットワーク要素によって送信される第１の取得要求を受信することであって、第１の取得要求は、第２のネットワーク要素に、ＵＥの識別子に対応するＵＥとパケット・データ・ネットワークＰＤＮとの間にあり、第２のネットワーク要素を通過するパケットに関する情報を、フィルタリング条件に従って取得することを指令するために使用されることを含むか、
または
第２のネットワーク要素によって、第１のネットワーク要素によって送信された第１の取得要求を受信することは、
第２のネットワーク要素によって、指示情報を含み、第１のネットワーク要素によって送信される第１の取得要求を受信することであって、第１の取得要求は、第２のネットワーク要素に、ＵＥの識別子に対応するＵＥとパケット・データ・ネットワークＰＤＮとの間にあり、第２のネットワーク要素を通過するパケットに関する情報を、指示情報に従って取得することを指令するために使用されることを含む。
【００３９】
第３の態様および前述の可能な実装方法のうちのいずれか１つを参照すると、第８の可能な実装方法において、第３のネットワーク要素は、ＡＦまたは第１の機能公開システムであり、
第１のネットワーク要素は、ＰＣＲＦまたは第２の機能公開システムであり、
第２のネットワーク要素は、ＰＣＥＦ、ＴＤＦ、ＢＢＥＲＦ、ゲートウェイ、または基地局である。
【００４０】
第４の態様では、本発明の一実施形態は、ネットワーク要素を実現し、これは
ユーザー装置ＵＥがベアラーを確立した後に、第１の取得要求を第２のネットワーク要素に送信するように構成された送信ユニットであって、第１の取得要求は、第２のネットワーク要素に、ＵＥとパケット・データ・ネットワークＰＤＮとの間にあり、第２のネットワーク要素を通過するパケットに関する情報を取得することを指令するために使用される、送信ユニットと、
送信ユニットが第１の取得要求を送信した後に、パケットに関する情報を受信するように構成された受信ユニットであって、パケットに関する情報が、第２のネットワーク要素によって送信され、パケットに関する情報は、第１の取得要求に従って第２のネットワーク要素によって収集される、受信ユニットとを含む。
【００４１】
第４の態様を参照すると、第１の可能な実装方法において、受信ユニットは、送信ユニットが第１の取得要求を送信する前に、第３のネットワーク要素によって送信された第２の取得要求を受信するようにさらに構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、
送信ユニットは、受信ユニットが第２の取得要求を受信した後に、第２の取得要求に従って第１の取得要求を第２のネットワーク要素に送信するように特に構成され、
パケットに関する情報を第３のネットワーク要素に送信するようにさらに構成され、パケットに関する情報は、受信ユニットによって受信される。
【００４２】
第４の態様および前述の可能な実装方法を参照すると、第２の可能な実装方法において、送信ユニットは、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【００４３】
第４の態様および第２の可能な実装方法を参照すると、第３の可能な実装方法において、受信ユニットは、送信ユニットが第１の取得要求を送信する前に、ＵＥの識別子を含み、第３のネットワーク要素によって送信される第２の取得要求を受信するように特に構成され、第２の取得要求は、ネットワーク要素に、ＵＥの識別子に対応するＵＥとＰＤＮとの間にあり、第２のネットワーク要素を通過するパケットに関する情報を、第２のネットワーク要素から、取得することを指令するために使用され、
送信ユニットは、受信ユニットが第２の取得要求を受信した後に、第２の取得要求に従って、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【００４４】
第４の態様および前述の可能な実装方法を参照すると、第４の可能な実装方法において、受信ユニットは、送信ユニットがパケットに関する情報を送信した後に、ＵＥの識別子を含み、第３のネットワーク要素によって送信される第２のパケット情報キャンセル要求を受信するようにさらに構成され、第２のパケット情報キャンセル要求は、ネットワーク要素に、第１のパケット情報キャンセル要求を第２のネットワーク要素に送信することを指令するために使用され、これにより、第２のネットワーク要素は、第１のパケット情報キャンセル要求に従って、ＵＥの識別子に対応するパケットに関する情報の取得をキャンセルし、
送信ユニットは、受信ユニットが第２のパケット情報キャンセル要求を受信した後に、ＵＥの識別子を含む第１のパケット情報キャンセル要求を第２のネットワーク要素に送信するように構成され、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルする。
【００４５】
第４の態様および第４の可能な実装方法を参照すると、第５の可能な実装方法において、第２のネットワーク要素が、第１のパケット情報キャンセル要求を受信する前に、ＵＥの識別子に対応するＵＥとＰＤＮとの間にあり、第２のネットワーク要素を通過するパケットに関する情報をさらに収集する場合に、
受信ユニットは、送信ユニットが第１のパケット情報キャンセル要求を送信した後に、パケットに関する情報を受信するようにさらに構成され、パケットに関する情報は、第２のネットワーク要素によって収集され、第２のネットワーク要素によって送信され、
送信ユニットは、パケットに関する情報を第３のネットワーク要素に送信するようにさらに構成され、パケットに関する情報は、受信ユニットによって受信される。
【００４６】
第４の態様および第１の可能な実装方法を参照すると、第６の可能な実装方法において、ネットワーク要素は、
受信ユニットが第２の取得要求を受信した後、および送信ユニットが第１の取得要求を送信する前に、ＵＥの認可情報がＵＥのサブスクリプション情報の中に存在することを判定するように構成された判定ユニットであって、
ＵＥの認可情報は、ＵＥがＵＥとＰＤＮとの間のパケットに関する情報の提供を許可するという情報である、判定ユニットをさらに含む。
【００４７】
第４の態様および第３の可能な実装方法を参照すると、第７の可能な実装方法において、ネットワーク要素は、
受信ユニットが第２の取得要求を受信した後、および送信ユニットが第１の取得要求を送信する前に、ＵＥの識別子に従ってサブスクリプション・プロファイル・リポジトリＳＰＲまたはユーザー・データ・リポジトリＵＤＲから、ＵＥの識別子に対応するＵＥのサブスクリプション情報を取得するように構成された取得ユニットと、
取得ユニットがＵＥのサブスクリプション情報を取得した後に、ＵＥの認可情報がＵＥのサブスクリプション情報の中に存在することを判定するように構成された判定ユニットであって、
ＵＥの認可情報は、ＵＥがＵＥとＰＤＮとの間のパケットに関する情報の提供を許可するという情報である、判定ユニットとをさらに含む。
【００４８】
第４の態様および第３の可能な実装方法を参照すると、第８の可能な実装方法において、
送信ユニットは、受信ユニットが第２の取得要求を受信した後、および送信ユニットが第１の取得要求を送信する前に、認可要求をＵＥの識別子に対応するＵＥに送信するようにさらに構成され、認可要求は、ＵＥがＵＥとＰＤＮとの間のパケットに関する情報の提供を許可するという情報を含み、
ＵＥが、ＵＥとＰＤＮとの間のパケットに関する情報の提供を許可する場合に、受信ユニットは、送信ユニットが認可要求を送信した後に、認可要求に従ってＵＥによって送信されたＵＥの認可情報を受信するようにさらに構成され、
ＵＥの認可情報は、ＵＥがＵＥとＰＤＮとの間のパケットに関する情報の提供を許可するという情報である。
【００４９】
第４の態様を参照すると、第９の可能な実装方法において、
送信ユニットは、指定されたファイル・サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【００５０】
第４の態様および第１の可能な実装方法を参照すると、第１０の可能な実装方法において、受信ユニットは、送信ユニットが第１の取得要求を送信する前に、指定されたファイル・サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードし、
送信ユニットは、受信ユニットが指定されたファイル・サーバー・アドレスに関する情報を含む第２の取得要求を受信した後に、指定されたファイル・サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【００５１】
第４の態様を参照すると、第１１の可能な実装方法において、
送信ユニットは、指定された報告先サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【００５２】
第４の態様および第１の可能な実装方法を参照すると、第１２の可能な実装方法において、受信ユニットは、送信ユニットが第１の取得要求を送信する前に、指定された報告先サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードし、
送信ユニットは、受信ユニットが指定された報告先サーバー・アドレスに関する情報を含む第２の取得要求を受信した後に、指定された報告先サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【００５３】
第４の態様および前述の可能な実装方法を参照すると、第１３の可能な実装方法において、第３のネットワーク要素は、アプリケーション機能ＡＦエンティティまたは第１の機能公開システムであり、
ネットワーク要素は、ポリシーおよび課金ルール機能ＰＣＲＦエンティティまたは第２の機能公開システムであり、
第２のネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である。
【００５４】
第４の態様を参照すると、第１４の可能な実装方法において、
送信ユニットは、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
指示情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【００５５】
第４の態様および第１の可能な実装方法を参照すると、第１５の可能な実装方法において、受信ユニットは、送信ユニットが第１の取得要求を送信する前に、フィルタリング条件を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報は、フィルタリング条件に従って第２のネットワーク要素によって収集され、
送信ユニットは、受信ユニットがフィルタリング条件を含む第２の取得要求を受信した後に、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
受信ユニットは、送信ユニットが第１の取得要求を送信する前に、指示情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報は、指示情報に従って第２のネットワーク要素によって収集され、
送信ユニットは、受信ユニットが指示情報を含む第２の取得要求を受信した後に、指示情報を含む第１の取得要求を送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【００５６】
第５の態様では、本発明の一実施形態は、ネットワーク要素をさらに実現し、これは
ユーザー装置ＵＥがベアラーを確立した後に、第２の取得要求を第１のネットワーク要素に送信するように構成された送信ユニットであって、第２の取得要求は、第１のネットワーク要素に、ＵＥとパケット・データ・ネットワークＰＤＮとの間にあり、第２のネットワーク要素を通過するパケットに関する情報を、第２のネットワーク要素から、取得することを指令するために使用され、これにより、第１のネットワーク要素は第２の取得要求に従って第２のネットワーク要素からパケットに関する情報を取得し、パケットに関する情報が第２のネットワーク要素によって収集される、送信ユニットと、
送信ユニットが第２の取得要求を送信した後に、パケットに関する情報を受信するように構成された受信ユニットであって、パケットに関する情報は、第２のネットワーク要素によって収集され、第１のネットワーク要素によって送信される、受信ユニットとを含む。
【００５７】
第５の態様を参照すると、第１の可能な実装方法において、
送信ユニットは、ＵＥがベアラーを確立した後に、ＵＥの識別子を含む第２の取得要求を第１のネットワーク要素に送信するように特に構成され、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からＵＥの識別子に対応するパケットに関する情報を取得し、パケットに関する情報が第２のネットワーク要素によって収集される。
【００５８】
第５の態様を参照すると、第２の可能な実装方法において、送信ユニットは、受信ユニットがパケットに関する情報を受信した後に、第２のパケット情報キャンセル要求を第１のネットワーク要素に送信するようにさらに構成され、第２のパケット情報キャンセル要求は、第１のネットワーク要素に、パケットに関する情報の取得をキャンセルするための第１のパケット情報キャンセル要求を第２のネットワーク要素に送信することを指令するために使用され、これにより、第２のネットワーク要素は、第１のパケット情報キャンセル要求に従って、パケットに関する情報を収集するオペレーションをキャンセルする。
【００５９】
第５の態様を参照すると、第３の可能な実装方法において、
送信ユニットは、ＵＥがベアラーを確立した後に、指定された報告先サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードする。
【００６０】
第５の態様を参照すると、第４の可能な実装方法において、
送信ユニットは、ＵＥがベアラーを確立した後に、指定されたファイル・サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【００６１】
第５の態様および前述の可能な実装方法を参照すると、第５の可能な実装方法において、ネットワーク要素は、アプリケーション機能ＡＦエンティティまたは第１の機能公開システムであり、
第１のネットワーク要素は、ポリシーおよび課金ルール機能ＰＣＲＦエンティティまたは第２の機能公開システムであり、
第２のネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である。
【００６２】
第５の態様および前述の可能な実装方法を参照すると、第６の可能な実装方法において、送信ユニットは、ＵＥがベアラーを確立した後に、フィルタリング条件を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、フィルタリング条件に従って第２のネットワーク要素から、取得することを指令するために使用されるか、または
ＵＥがベアラーを確立した後に、指示情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、指示情報に従って第２のネットワーク要素から、取得することを指令するために使用される。
【００６３】
第６の態様では、本発明の一実施形態は、ネットワーク要素をさらに実現し、これは
ユーザー装置ＵＥがベアラーを確立した後に、第１のネットワーク要素によって送信された第１の取得要求を受信するように構成された受信ユニットであって、第１の取得要求は、ネットワーク要素に、ＵＥとパケット・データ・ネットワークＰＤＮとの間にあり、ネットワーク要素を通過するパケットに関する情報を取得することを指令するために使用される、受信ユニットと、
受信ユニットが第１の取得要求を受信した後に、第１の取得要求に従ってパケットに関する情報を収集するように構成された収集ユニットと、
パケットに関する情報を第１のネットワーク要素に送信するように構成された送信ユニットであって、パケットに関する情報は、収集ユニットによって収集される、送信ユニットとを含む。
【００６４】
第６の態様を参照すると、第１の可能な実装方法において、第１の取得要求は、第１のネットワーク要素が第３のネットワーク要素によって送信された第２の取得要求を受信した後に第１のネットワーク要素によって送信される。
【００６５】
第６の態様を参照すると、第２の可能な実装方法において、
受信ユニットは、ＵＥがベアラーを確立した後に、ＵＥの識別子を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得することを指令するために使用され、
収集ユニットは、受信ユニットがＵＥの識別子を含む第１の取得要求を受信した後に、第１の取得要求に従って、ＵＥの識別子に対応するパケットに関する情報を収集するように特に構成される。
【００６６】
第６の態様を参照すると、第３の可能な実装方法において、受信ユニットは、送信ユニットがパケットに関する情報を送信した後に、第１のネットワーク要素によって送信された第１のパケット情報キャンセル要求を受信し、第１のパケット情報キャンセル要求に従って、ＵＥとＰＤＮとの間にあり、第２のネットワーク要素を通過するパケットに関する情報の収集をキャンセルするように構成される。
【００６７】
第６の態様および第３の可能な実装方法を参照すると、第４の可能な実装方法において、第１のパケット情報キャンセル要求は、第１のネットワーク要素が第３のネットワーク要素によって送信された第２のパケット情報キャンセル要求を受信した後に第１のネットワーク要素によって送信される。
【００６８】
第６の態様を参照すると、第５の可能な実装様式において、
受信ユニットは、ＵＥがベアラーを確立した後に、指定されたファイル・サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する情報をファイルとして格納し、指定されたファイル・サーバー・アドレスに関する情報に対応するファイル・サーバーにファイルをアップロードすることを指令するために使用され、
収集ユニットは、受信ユニットが指定されたファイル・サーバー・アドレスに関する情報を含む第１の取得要求を受信した後に、第１の取得要求に従ってパケットに関する情報を収集し、パケットに関する収集された情報をファイルとして格納するように特に構成され、
送信ユニットは、収集ユニットによって格納されているファイルを指定されたファイル・サーバー・アドレスに関する情報に対応するファイル・サーバーにアップロードするようにさらに構成されるか、
または
受信ユニットは、ＵＥがベアラーを確立した後に、指定された報告先サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する収集された情報を指定された報告先サーバー・アドレスに関する情報に対応するサーバーにアップロードすることを指令するために使用され、
収集ユニットは、受信ユニットが指定された報告先サーバー・アドレスに関する情報を含む第１の取得要求を受信した後に、第１の取得要求に従ってパケットに関する情報を収集するように特に構成され、
送信ユニットは、パケットに関する情報を指定された報告先サーバー・アドレスに関する情報に対応するサーバーにアップロードするようにさらに構成され、パケットに関する情報は、収集ユニットによって収集される。
【００６９】
第６の態様および第５の可能な実装方法を参照すると、第６の可能な実装方法において、ネットワーク要素は、
送信ユニットが収集ユニットによって格納されているファイルを送信する前に、指定されたファイル・サーバー・アドレスに関する情報に従ってファイル・サーバーとのデータ伝送チャネルを確立するように構成された確立ユニット、
または
送信ユニットがパケットに関する情報を送信する前に、指定された報告先サーバー・アドレスに関する情報に従ってサーバーとのデータ伝送チャネルを確立するように構成された確立ユニットであって、パケットに関する情報は、収集ユニットによって収集される、確立ユニットをさらに含む。
【００７０】
第６の態様を参照すると、第７の可能な実装方法において、
受信ユニットは、ＵＥがベアラーを確立した後に、フィルタリング条件を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、フィルタリング条件に従って取得することを指令するために使用されるか、  または
ＵＥがベアラーを確立した後に、指示情報を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、指示情報に従って取得することを指令するために使用される。
【００７１】
第６の態様および前述の可能な実装方法を参照すると、第８の可能な実装方法において、
第３のネットワーク要素は、アプリケーション機能ＡＦエンティティまたは第１の機能公開システムであり、
第１のネットワーク要素は、ポリシーおよび課金ルール機能ＰＣＲＦエンティティまたは第２の機能公開システムであり、
ネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である。
【００７２】
第７の態様において、本発明の一実施形態は、ネットワーク要素をさらに実現し、これは
ユーザー装置ＵＥがベアラーを確立した後に、第１の取得要求を第２のネットワーク要素に送信するように構成された送信機であって、第１の取得要求は、第２のネットワーク要素に、ＵＥとパケット・データ・ネットワークＰＤＮとの間にあり、第２のネットワーク要素を通過するパケットに関する情報を取得することを指令するために使用される、送信機と、
送信機が第１の取得要求を送信した後に、パケットに関する情報を受信するように構成された受信機であって、パケットに関する情報が、第２のネットワーク要素によって送信され、パケットに関する情報は、第１の取得要求に従って第２のネットワーク要素によって収集される、受信機とを含む。
【００７３】
第７の態様を参照すると、第１の可能な実装方法において、受信機は、送信機が第１の取得要求を送信する前に、第３のネットワーク要素によって送信された第２の取得要求を受信するようにさらに構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、
送信機は、受信機が第２の取得要求を受信した後に、第２の取得要求に従って第１の取得要求を第２のネットワーク要素に送信するように特に構成され、
パケットに関する情報を第３のネットワーク要素に送信するようにさらに構成され、パケットに関する情報は、受信機によって受信される。
【００７４】
第７の態様および前述の可能な実装方法を参照すると、第２の可能な実装方法において、送信機は、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【００７５】
第７の態様を参照すると、第３の可能な実装方法において、
受信機は、送信機が第１の取得要求を送信する前に、ＵＥの識別子を含み、第３のネットワーク要素によって送信される第２の取得要求を受信するように特に構成され、第２の取得要求は、ネットワーク要素に、ＵＥの識別子に対応するＵＥとＰＤＮとの間にあり、第２のネットワーク要素を通過するパケットに関する情報を、第２のネットワーク要素から、取得することを指令するために使用され、
送信機は、受信機が第２の取得要求を受信した後に、第２の取得要求に従って、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【００７６】
第７の態様および前述の可能な実装方法を参照すると、第４の可能な実装方法において、受信機は、送信機がパケットに関する情報を送信した後に、ＵＥの識別子を含み、第３のネットワーク要素によって送信される第２のパケット情報キャンセル要求を受信するようにさらに構成され、第２のパケット情報キャンセル要求は、ネットワーク要素に、第１のパケット情報キャンセル要求を第２のネットワーク要素に送信することを指令するために使用され、これにより、第２のネットワーク要素は、第１のパケット情報キャンセル要求に従って、パケットに関する情報の取得をキャンセルし、パケットに関する情報は、ＵＥの識別子に対応するパケットに関する情報であり、
送信機は、受信機が第２のパケット情報キャンセル要求を受信した後に、ＵＥの識別子を含む第１のパケット情報キャンセル要求を第２のネットワーク要素に送信するように構成され、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルする。
【００７７】
第７の態様および第４の可能な実装方法を参照すると、第５の可能な実装方法において、第２のネットワーク要素が、第１のパケット情報キャンセル要求を受信する前に、ＵＥの識別子に対応するＵＥとＰＤＮとの間にあり、第２のネットワーク要素を通過するパケットに関する情報をさらに収集する場合に、
受信機は、送信機が第１のパケット情報キャンセル要求を送信した後に、パケットに関する情報を受信するようにさらに構成され、パケットに関する情報は、第２のネットワーク要素によって収集され、第２のネットワーク要素によって送信され、
送信機は、パケットに関する情報を第３のネットワーク要素に送信するようにさらに構成され、パケットに関する情報は、受信機によって受信される。
【００７８】
第７の態様および第３の可能な実装方法を参照すると、第６の可能な実装方法において、ネットワーク要素は、
受信機が第２の取得要求を受信した後、および送信機が第１の取得要求を送信する前に、ＵＥの認可情報がＵＥのサブスクリプション情報の中に存在することを判定するように構成されたプロセッサであって、
ＵＥの認可情報は、ＵＥがＵＥとＰＤＮとの間のパケットに関する情報の提供を許可するという情報である、プロセッサをさらに含む。
【００７９】
第７の態様および第３の可能な実装方法を参照すると、第７の可能な実装方法において、ネットワーク要素は、
受信機が第２の取得要求を受信した後、および送信機が第１の取得要求を送信する前に、ＵＥの識別子に従ってサブスクリプション・プロファイル・リポジトリＳＰＲまたはユーザー・データ・リポジトリＵＤＲから、ＵＥの識別子に対応するＵＥのサブスクリプション情報を取得し、
ＵＥの認可情報がＵＥのサブスクリプション情報の中に存在することを判定するように構成されたプロセッサであって、
ＵＥの認可情報は、ＵＥがＵＥとＰＤＮとの間のパケットに関する情報の提供を許可するという情報である、プロセッサをさらに含む。
【００８０】
第７の態様および第３の可能な実装方法を参照すると、第８の可能な実装方法において、送信機は、受信機が第２の取得要求を受信した後、および送信機が第１の取得要求を送信する前に、認可要求をＵＥの識別子に対応するＵＥに送信するようにさらに構成され、認可要求は、ＵＥがＵＥとＰＤＮとの間のパケットに関する情報の提供を許可するという情報を含み、
ＵＥが、ＵＥとＰＤＮとの間のパケットに関する情報の提供を許可する場合に、受信機は、送信機が認可要求を送信した後に、認可要求に従ってＵＥによって送信されたＵＥの認可情報を受信するようにさらに構成され、
ＵＥの認可情報は、ＵＥがＵＥとＰＤＮとの間のパケットに関する情報の提供を許可するという情報である。
【００８１】
第７の態様を参照すると、第９の可能な実装方法において、
送信機は、指定されたファイル・サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【００８２】
第７の態様および第１の可能な実装方法を参照すると、第１０の可能な実装方法において、受信機は、送信機が第１の取得要求を送信する前に、指定されたファイル・サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードし、
送信機は、受信機が指定されたファイル・サーバー・アドレスに関する情報を含む第２の取得要求を受信した後に、指定されたファイル・サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【００８３】
第７の態様を参照すると、第１１の可能な実装方法において、
送信機は、指定された報告先サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【００８４】
第７の態様を参照すると、第１２の可能な実装方法において、
受信機は、送信機が第１の取得要求を送信する前に、指定された報告先サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードし、
送信機は、受信機が指定された報告先サーバー・アドレスに関する情報を含む第２の取得要求を受信した後に、指定された報告先サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【００８５】
第７の態様および前述の可能な実装方法を参照すると、第１３の可能な実装方法において、第３のネットワーク要素は、アプリケーション機能ＡＦエンティティまたは第１の機能公開システムであり、
ネットワーク要素は、ポリシーおよび課金ルール機能ＰＣＲＦエンティティまたは第２の機能公開システムであり、
第２のネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である。
【００８６】
第７の態様を参照すると、第１４の可能な実装方法において、送信機は、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
指示情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【００８７】
第７の態様を参照すると、第１５の可能な実装方法において、
受信機は、送信機が第１の取得要求を送信する前に、フィルタリング条件を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報は、フィルタリング条件に従って第２のネットワーク要素によって収集され、
送信機は、受信機がフィルタリング条件を含む第２の取得要求を受信した後に、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
受信機は、送信機が第１の取得要求を送信する前に、指示情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報は、指示情報に従って第２のネットワーク要素によって収集され、
送信機は、受信機が指示情報を含む第２の取得要求を受信した後に、指示情報を含む第１の取得要求を送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【００８８】
第８の態様では、本発明の一実施形態は、ネットワーク要素をさらに実現し、これは
ユーザー装置ＵＥがベアラーを確立した後に、第２の取得要求を第１のネットワーク要素に送信するように構成された送信機であって、第２の取得要求は、第１のネットワーク要素に、ＵＥとパケット・データ・ネットワークＰＤＮとの間にあり、第２のネットワーク要素を通過するパケットに関する情報を、第２のネットワーク要素から、取得することを指令するために使用され、これにより、第１のネットワーク要素は第２の取得要求に従って第２のネットワーク要素からパケットに関する情報を取得し、パケットに関する情報が第２のネットワーク要素によって収集される、送信機と、
送信機が第２の取得要求を送信した後に、パケットに関する情報を受信するように構成された受信機であって、パケットに関する情報は、第２のネットワーク要素によって収集され、第１のネットワーク要素によって送信される、受信機とを含む。
【００８９】
第８の態様を参照すると、第１の可能な実装方法において、
送信機は、ＵＥがベアラーを確立した後に、ＵＥの識別子を含む第２の取得要求を第１のネットワーク要素に送信するように特に構成され、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からＵＥの識別子に対応するパケットに関する情報を取得し、パケットに関する情報が第２のネットワーク要素によって収集される。
【００９０】
第８の態様を参照すると、第２の可能な実装方法において、送信機は、受信機がパケットに関する情報を受信した後に、第２のパケット情報キャンセル要求を第１のネットワーク要素に送信するようにさらに構成され、第２のパケット情報キャンセル要求は、第１のネットワーク要素に、パケットに関する情報の取得をキャンセルするための第１のパケット情報キャンセル要求を第２のネットワーク要素に送信することを指令するために使用され、これにより、第２のネットワーク要素は、第１のパケット情報キャンセル要求に従って、パケットに関する情報を収集するオペレーションをキャンセルする。
【００９１】
第８の態様を参照すると、第３の可能な実装方法において、
送信機は、ＵＥがベアラーを確立した後に、指定された報告先サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードする。
【００９２】
第８の態様を参照すると、第４の可能な実装方法において、
送信機は、ＵＥがベアラーを確立した後に、指定されたファイル・サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【００９３】
第８の態様および前述の可能な実装方法を参照すると、第５の可能な実装方法において、ネットワーク要素は、アプリケーション機能ＡＦエンティティまたは第１の機能公開システムであり、
第１のネットワーク要素は、ポリシーおよび課金ルール機能ＰＣＲＦエンティティまたは第２の機能公開システムであり、
第２のネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である。
【００９４】
第８の態様および前述の可能な実装方法を参照すると、第６の可能な実装方法において、
送信機は、ＵＥがベアラーを確立した後に、フィルタリング条件を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、フィルタリング条件に従って第２のネットワーク要素から、取得することを指令するために使用されるか、または
ＵＥがベアラーを確立した後に、指示情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、指示情報に従って第２のネットワーク要素から、取得することを指令するために使用される。
【００９５】
第７の態様において、本発明の一実施形態は、ネットワーク要素をさらに実現し、これは
ユーザー装置ＵＥがベアラーを確立した後に、第１のネットワーク要素によって送信された第１の取得要求を受信するように構成された受信機であって、第１の取得要求は、ネットワーク要素に、ＵＥとパケット・データ・ネットワークＰＤＮとの間にあり、ネットワーク要素を通過するパケットに関する情報を取得することを指令するために使用される、受信機と、
受信機が第１の取得要求を受信した後に、第１の取得要求に従ってパケットに関する情報を収集するように構成されたプロセッサと、
パケットに関する情報を第１のネットワーク要素に送信するように構成された送信機であって、パケットに関する情報は、プロセッサによって収集される、送信機とを含む。
【００９６】
第９の態様を参照すると、第１の可能な実装方法において、第１の取得要求は、第１のネットワーク要素が第３のネットワーク要素によって送信された第２の取得要求を受信した後に第１のネットワーク要素によって送信される。
【００９７】
第９の態様を参照すると、第２の可能な実装方法において、
受信機は、ＵＥがベアラーを確立した後に、ＵＥの識別子を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得することを指令するために使用され、
プロセッサは、受信機がＵＥの識別子を含む第１の取得要求を受信した後に、第１の取得要求に従って、ＵＥの識別子に対応するパケットに関する情報を収集するように特に構成される。
【００９８】
第９の態様を参照すると、第３の可能な実装方法において、
受信機は、送信機がパケットに関する情報を送信した後に、第１のネットワーク要素によって送信された第１のパケット情報キャンセル要求を受信し、第１のパケット情報キャンセル要求に従って、ＵＥとＰＤＮとの間にあり、第２のネットワーク要素を通過するパケットに関する情報の収集をキャンセルするように構成される。
【００９９】
第９の態様および第３の可能な実装方法を参照すると、第４の可能な実装方法において、第１のパケット情報キャンセル要求は、第１のネットワーク要素が第３のネットワーク要素によって送信された第２のパケット情報キャンセル要求を受信した後に第１のネットワーク要素によって送信される。
【０１００】
第９の態様を参照すると、第５の可能な実装様式において、
受信機は、ＵＥがベアラーを確立した後に、指定されたファイル・サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する情報をファイルとして格納し、指定されたファイル・サーバー・アドレスに関する情報に対応するファイル・サーバーにファイルをアップロードすることを指令するために使用され、
プロセッサは、受信機が指定されたファイル・サーバー・アドレスに関する情報を含む第１の取得要求を受信した後に、第１の取得要求に従ってパケットに関する情報を収集し、パケットに関する収集された情報をファイルとして格納するように特に構成され、
送信機は、プロセッサによって格納されているファイルを指定されたファイル・サーバー・アドレスに関する情報に対応するファイル・サーバーにアップロードするようにさらに構成されるか、
または
受信機は、ＵＥがベアラーを確立した後に、指定された報告先サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する収集された情報を指定された報告先サーバー・アドレスに関する情報に対応するサーバーにアップロードすることを指令するために使用され、
プロセッサは、受信機が指定された報告先サーバー・アドレスに関する情報を含む第１の取得要求を受信した後に、第１の取得要求に従ってパケットに関する情報を収集するように特に構成され、
送信機は、パケットに関する情報を指定された報告先サーバー・アドレスに関する情報に対応するサーバーにアップロードするようにさらに構成され、パケットに関する情報は、プロセッサによって収集される。
【０１０１】
第９の態様および第５の可能な実装方法を参照すると、第６の可能な実装方法において、プロセッサは、送信機がプロセッサによって格納されているファイルを送信する前に、指定されたファイル・サーバー・アドレスに関する情報に従ってファイル・サーバーとのデータ伝送チャネルを確立するようにさらに構成されるか、
または
送信機がパケットに関する情報を送信する前に、指定された報告先サーバー・アドレスに関する情報に従ってサーバーとのデータ伝送チャネルを確立するように構成され、パケットに関する情報は、プロセッサによって収集される。
【０１０２】
第９の態様を参照すると、第７の可能な実装方法において、
受信機は、ＵＥがベアラーを確立した後に、フィルタリング条件を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、フィルタリング条件に従って取得することを指令するために使用されるか、
または
ＵＥがベアラーを確立した後に、指示情報を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、指示情報に従って取得することを指令するために使用される。
【０１０３】
第９の態様および前述の可能な実装方法を参照すると、第８の可能な実装方法において、第３のネットワーク要素は、アプリケーション機能ＡＦエンティティまたは第１の機能公開システムであり、
第１のネットワーク要素は、ポリシーおよび課金ルール機能ＰＣＲＦエンティティまたは第２の機能公開システムであり、
ネットワーク要素は、ポリシーおよび課金施行機能ＰＣＥＦエンティティ、サービス検出機能ＴＤＦエンティティ、ベアラー・バインディングおよびイベント報告機能ＢＢＥＲＦエンティティ、ゲートウェイ、または基地局である。
【０１０４】
前述の技術的解決方法から、本発明においてパケットに関する情報を取得するための方法およびネットワーク要素に従って、第１のネットワーク要素は、第２のネットワーク要素から、ＵＥとＰＤＮとの間にあり、第２のネットワーク要素を通過するパケットに関する情報を取得し、さらに、第１のネットワーク要素は、パケットに関する情報を受信し、パケットに関する情報は、第２のネットワーク要素によって収集され、第２のネットワーク要素によって送信されることが知られ得る。こうして、ＰＣＣシステムが従来技術ではユーザー装置に関係するパケットに関する情報を取得することができないという問題が解決される。
【０１０５】
本発明の技術的解決方法をより明確に説明するために、以下で実施形態を説明するのに必要な添付図面を簡単に説明する。明らかに、以下の説明の添付図面は、本発明のいくつかの実施形態を示しているにすぎず、当業者であれば、創造的労力を費やすことなくこれらの添付図面から他の図面を導き出すことができる。
【図面の簡単な説明】
【０１０６】
【図１】従来技術のモバイル・パケット・ネットワークのアーキテクチャの図である。
【図２】従来技術のＳＡＥネットワーク・アーキテクチャの図である。
【図３】従来技術のＰＣＣシステムのネットワーク・アーキテクチャの図である。
【図４Ａ】本発明の一実施形態によるパケットに関する情報を取得するための方法の概略フローチャートである。
【図４Ｂ】本発明の一実施形態によるパケットに関する情報を取得するための方法の概略フローチャートである。
【図４Ｃ】本発明の一実施形態によるパケットに関する情報を取得するための方法の概略フローチャートである。
【図４Ｄ】本発明の一実施形態によるパケットに関する情報を取得するための方法の概略フローチャートである。
【図４Ｅ】本発明の一実施形態によるパケットに関する情報を取得するための方法の概略フローチャートである。
【図４Ｆ】本発明の一実施形態によるパケットに関する情報を取得するための方法の概略フローチャートである。
【図５Ａ】本発明の別の実施形態によるパケットに関する情報を取得するための方法の概略フローチャートである。
【図５Ｂ】本発明の別の実施形態によるパケットに関する情報を取得するための方法の概略フローチャートである。
【図５Ｃ】本発明の別の実施形態によるパケットに関する情報を取得するための方法の概略フローチャートである。
【図５Ｄ】本発明の別の実施形態によるパケットに関する情報を取得するための方法の概略フローチャートである。
【図６Ａ】本発明の別の実施形態によるパケットに関する情報を取得するための方法の概略フローチャートである。
【図６Ｂ】本発明の別の実施形態によるパケットに関する情報を取得するための方法の概略フローチャートである。
【図６Ｃ】本発明の別の実施形態によるパケットに関する情報を取得するための方法の概略フローチャートである。
【図６Ｄ】本発明の別の実施形態によるパケットに関する情報を取得するための方法の概略フローチャートである。
【図７Ａ】本発明の別の実施形態によるパケットに関する情報を取得するための方法の概略フローチャートである。
【図７Ｂ】本発明の別の実施形態によるパケットに関する情報を取得するための方法の概略フローチャートである。
【図８Ａ】本発明の別の実施形態によるパケットに関する情報を取得するための方法の概略フローチャートである。
【図８Ｂ】本発明の別の実施形態によるパケットに関する情報を取得するための方法の概略フローチャートである。
【図９】本発明の別の実施形態によるネットワーク要素の概略構造図である。
【図１０】本発明の別の実施形態によるネットワーク要素の概略構造図である。
【図１１】本発明の別の実施形態によるネットワーク要素の概略構造図である。
【図１２】本発明の別の実施形態によるネットワーク要素の概略構造図である。
【発明を実施するための形態】
【０１０７】
本発明の目的、技術的解決策、および利点をよりわかりやすくするために、以下では、本発明の実施形態の添付図面を参照しつつ本発明の実施形態における技術的解決策を、明確にかつ完全に、説明する。明らかに、以下の説明されている実施形態は、本発明の実施形態の一部にすぎない。本発明の以下の実施形態に基づき、当業者であれば、創造的活動を行うことなくいくつかのまたはすべての技術的特徴に同等の変更を加えることによって本発明の技術的問題を解決し、発明の技術的効果をもたらすために使用される他の実施形態を導き出すこともでき、それらの変更は明らかに本発明において開示されている範囲から逸脱するものではない。
【０１０８】
３ＧＰＰ  ＴＳ  ２３．０６０において定義されている２Ｇ／３Ｇモバイル・パケット・ネットワーク・アーキテクチャは、図１に示されている。ユニバーサル地上無線アクセス・ネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、略してＵＴＲＡＮ）では、ユニバーサル・モバイル地上無線サービス（Ｕｎｉｖｅｒｓａｌ  Ｍｏｂｉｌｅ  Ｔｅｒｒｅｓｔｒｉａｌ  Ｓｅｒｖｉｃｅ、略してＵＭＴＳ）ネットワーク（すなわち、３Ｇネットワーク）上に無線アクセス機能を実装する。ＧＳＭ（登録商標）／ＥＤＧＥ無線アクセス・ネットワーク（ＧＳＭ／ＥＤＧＥ  Ｒａｄｉｏ  Ａｃｃｅｓｓ  Ｎｅｔｗｏｒｋ、略してＧＥＲＡＮ）では、汎用パケット無線通信システム（Ｇｅｎｅｒａｌ  Ｐａｃｋｅｔ  Ｒａｄｉｏ  Ｓｅｒｖｉｃｅ、略してＧＰＲＳ）（すなわち、２Ｇネットワークにおけるパケット・データ）ネットワーク上に無線アクセス機能を実装する。
【０１０９】
３ＧＰＰ標準バージョンＲ８フェーズにおいて、新しい発展型ネットワークが開発され、そのシステム・アーキテクチャは図２に示されている。発展型ＵＴＲＡＮ（Ｅｖｏｌｖｅｄ  ＵＴＲＡＮ、略してＥ−ＵＴＲＡＮ）では、発展型ネットワークへの無線アクセスに関係するすべての機能を実装する。
【０１１０】
システム・アーキテクチャ発展型（Ｓｙｓｔｅｍ  Ａｒｃｈｉｔｅｃｔｕｒｅ  Ｅｖｏｌｕｔｉｏｎ、略してＳＡＥ）アーキテクチャでは、モビリティ管理エンティティ（Ｍｏｂｉｌｉｔｙ  Ｍａｎａｇｅｍｅｎｔ  Ｅｎｔｉｔｙ、略してＭＭＥ）は、制御プレーン上のシグナリングを処理するだけでよく、サービング・ゲートウェイ（Ｓｅｒｖｉｎｇ  Ｇａｔｅｗａｙ、略してＳ−ＧＷ）およびパケットデータ・ネットワーク・ゲートウェイ（Ｐａｃｋｅｔ  Ｄａｔａ  Ｎｅｔｗｏｒｋ  Ｇａｔｅｗａｙ、略してＰ−ＧＷ）は、もっぱら、ユーザー・プレーン上のデータを転送する役目を負う。Ｓ−ＧＷおよびＰ−ＧＷは、ゲートウェイと総称される、１つのネットワーク要素に組み合わされ得る。
【０１１１】
前述の説明では、通信ネットワーク・アーキテクチャについて簡単にしか述べておらず、それぞれのネットワーク要素デバイスの機能および通信システムは、本明細書では限定されていない。例えば、無線アクセス・ネットワークは、ＷｉＦｉなどの別の非３ＧＰＰデバイスであってもよい。すべての以下の実施形態は、前述の通信システムに適用可能である。
【０１１２】
異なるポリシーおよび課金制御を異なるサービス・データ・ストリーム上に実装するために、３ＧＰＰは、ＰＣＣシステムを定義している。ＰＣＣシステムは、モバイル・パケット・ネットワークのオプションの機能（２Ｇ、３Ｇ、またはシステム・アーキテクチャ発展型（Ｓｙｓｔｅｍ  Ａｒｃｈｉｔｅｃｔｕｒｅ  Ｅｖｏｌｕｔｉｏｎ、略してＳＡＥ））であり、通信事業者側の要求条件に応じて、ＰＣＣシステムが展開されるかどうかが決定され得る。
【０１１３】
図３に示されているように、図３はＰＣＣシステムのアーキテクチャを示している。いくつかのシステムでは、ＳＰＲは、ユーザー・データ・リポジトリ（Ｕｓｅｒ  Ｄａｔａ  Ｒｅｐｏｓｉｔｏｒｙ、略してＵＤＲ）で置き換えられ、Ｓｐインターフェースは、それに対応して、Ｕｄインターフェースで置き換えられるが、これらはシステム実装方法の違いにすぎない。ＳＰＲおよびＵＤＲは、両方とも、機能に関してユーザーのサブスクリプション・データを格納する。本明細書の内容は、両方のシステム・アーキテクチャに適用可能であり、以下では、差別化されない。それに加えて、ＰＣＣシステムは、ローミング・シナリオのアーキテクチャも有する。本発明の実施形態では、ローミング・アーキテクチャに違いはなく、そのまま適用可能であり、したがって、本明細書ではこれ以上詳しく述べない。
【０１１４】
既存のＰＣＣシステムでは、ＡＦまたはＰＣＲＦは、ベアラー・プレーン上のいくつかのイベントを取得することができるが、パケットに関する情報を取得することはできない。しかし、パケットに関する情報は、パイプライン伝送機能の理解を高め、それに応じて、サービスを調整し、ユーザー・サービス・エクスペリエンスを改善し、サービス障害を特定するうえで、チャネルに対する、およびＡＦ、ＡＦが属すサービス・プロバイダに対する透過性を高めるために非常に重要である。
【０１１５】
パケットに関する情報は、単一のパケット（シーケンス番号、方向、およびタイムスタンプなど）に関する情報、および／またはパケット統計量情報（ＱｏＳ統計量情報およびパケット・トラフィック統計量情報など）を含む。この情報は、ＡＦまたはＡＦが属すサービス・プロバイダにとってきわめて有用である。例えば、サービスに障害が発生した場合、この情報を使用することによって、障害がモバイル・ブロードバンド・ネットワーク（ＵＥからＰＣＥＦへの経路を含む）によって引き起こされたか、またはパケット・データ・ネットワーク（Ｐａｃｋｅｔ  Ｄａｔａ  Ｎｅｔｗｏｒｋ、略してＰＤＮ）の内部障害によって引き起こされたかが判定され得る。それに加えて、パケットに関する情報を使用することによって、モバイル・ネットワークおよびＰＤＮのＱｏＳ条件が明確に知られるものとしてよく、次いで、サービスが、それに応じて調整され、例えば、オーディオ・ストリームおよびビデオ・ストリームの符号化／復号化アルゴリズムが変更される。例えば、モバイル・ネットワーク上のパケットの遅延およびジッター、ならびにＰＤＮネットワーク上のパケットの遅延およびジッターは、複数のパケットのタイムスタンプを使用することによって計算され、モバイル・ネットワーク上のパケットのパケット損失率ならびにＰＤＮネットワーク上のパケットのパケット損失率は、パケットのシーケンス番号を使用することによって計算され、パケットが送信プロセスにおいて修正されるかどうか、修正された内容、および同様のものが、パケットの内容の全部または一部を使用することによって決定され得る。
【０１１６】
本発明の実施形態は、ＰＣＣシステムを使用することによってＡＦまたは別のネットワーク要素がパケットに関する情報およびパケットの内容を取得することができないという問題を解決することである。以下の実施形態のうちのいずれか１つにより、ＡＦまたは別のネットワーク要素（サービス・プロバイダの管理システムなど）は、ＰＣＣシステムを使用することによってパケットに関する情報を取得することができる。本明細書のパケットは、ＵＥとＰＤＮ上のネットワーク要素との間で双方向に送信されるパケットを指していることに留意されたい。本発明の実施形態におけるパケットに関する情報は、単一のパケットに関する情報および／またはパケット統計量情報を含む。単一のパケットに関する情報は、パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、およびパケットの内容の全部または一部のうちの１つまたは複数の種類の情報を含む。
【０１１７】
パケット統計量情報は、
パケットの数に関する統計量情報、異なるパケット長のパケットの数に関する統計量情報、パケット・トラフィック統計量情報、およびＱｏＳ統計量情報のうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０１１８】
図４Ａは、本発明の一実施形態によるパケットに関する情報を取得するための方法を示している。図４Ａに示されているように、この実施形態においてパケットに関する情報を取得するための方法は、以下のように説明される。
【０１１９】
４０１．ＵＥがベアラーを確立した後に、第１のネットワーク要素は、第１の取得要求を第２のネットワーク要素に送信し、第１の取得要求は、第２のネットワーク要素に、ＵＥとＰＤＮとの間にあり、第２のネットワーク要素を通過するパケットに関する情報を取得することを指令するために使用される。
【０１２０】
４０２．第１のネットワーク要素は、パケットに関する情報を受信し、パケットに関する情報が、第２のネットワーク要素によって送信され、パケットに関する情報は、パケットに関する情報であり、第１の取得要求に従って第２のネットワーク要素によって収集される。
【０１２１】
例えば、第１のネットワーク要素がＰＣＲＦであり、第２のネットワーク要素がＰＣＥＦである場合、ＵＥに関係する情報を送信するためのデータ伝送チャネルは、ＵＥがベアラーを確立した後にＰＣＲＦとＰＣＥＦとの間に存在する。したがって、ＰＣＲＦは、チャネルを通じて第１の要求を送信することができ、この場合、ＰＣＥＦは、第１の取得要求を受信した後に、ＵＥが対応して取得を必要とするパケットに関する情報を学習することができる。
【０１２２】
前述の実施形態から、この実施形態におけるパケットに関する情報を取得するための方法に従って、第１のネットワーク要素は、第２のネットワーク要素から、ＵＥとＰＤＮとの間にあり、第２のネットワーク要素を通過するパケットに関する情報を取得し、さらに、第１のネットワーク要素は、パケットに関する情報を受信し、パケットに関する情報は、第２のネットワーク要素によって収集され、第２のネットワーク要素によって送信されることが知られ得る。こうして、ＰＣＣシステムが従来技術ではユーザー装置に関係するパケットに関する情報を取得することができないという問題が解決される。
【０１２３】
適宜、第１のネットワーク要素が第２の機能公開システムであり、第２のネットワーク要素が基地局、ゲートウェイ、またはＰＣＥＦである場合、この場合、前述のステップ４０１における第１の取得要求は、少なくともＵＥの識別子を含み、それに対応して、パケットに関する情報を取得するための方法は、図に示されていない以下のステップ４０１’およびステップ４０２’を含む。
【０１２４】
４０１’．ＵＥがベアラーを確立した後に、第１のネットワーク要素は、ＵＥの識別子を含む第１の取得要求を第２のネットワーク要素に送信し、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【０１２５】
例えば、ＵＥの識別子は、限定はしないが、ＵＥのＩＰアドレス、アクセス・ポイント名（Ａｃｃｅｓｓ  Ｐｏｉｎｔ  Ｎａｍｅ、略してＡＰＮ）、国際移動電話加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、略してＩＭＳＩ）、移動局国際ＩＳＤＮ番号（Ｍｏｂｉｌｅ  Ｓｔａｔｉｏｎ  Ｉｎｔｅｒｎａｔｉｏｎａｌ  ＩＳＤＮ  ｎｕｍｂｅｒ、略してＭＳＩＳＤＮ）、および同様のものを含む。
【０１２６】
４０２’．第１のネットワーク要素は、パケットに関する情報を受信し、パケットに関する情報は、第２のネットワーク要素によって送信され、パケットに関する情報は、ＵＥの識別子に対応するＵＥのパケットに関する情報であり、パケットに関する情報は、第１の取得要求に従って第２のネットワーク要素によって収集される。
【０１２７】
前述の説明によれば、パケットに関する情報を取得するための方法により、従来技術ではＰＣＣシステムがユーザー装置に関係するパケットに関する情報を取得することができないという問題が、第１のネットワーク要素と第２のネットワーク要素との間の相互のやり取りを通じて解決される。
【０１２８】
第１の取得要求は、少なくともフィルタリング条件または指示情報（以下の他の実施形態で例として使用されている第１の指示情報および第２の指示情報など）を含み、それに対応して、第１のネットワーク要素は、第１の取得要求を第２のネットワーク要素に送信し、このことは、
第１のネットワーク要素によって、フィルタリング条件を含む第１の取得要求を第２のネットワーク要素に送信し、第１の取得要求は、第２のネットワーク要素が、ＵＥとＰＤＮとの間にあり、第２のネットワーク要素を通過するパケットに関する情報を、フィルタリング条件に従って、取得することを可能にするために使用されることを含み、または
第１のネットワーク要素は、第１の取得要求を第２のネットワーク要素に送信し、このことは、
第１のネットワーク要素によって、指示情報を含む第１の取得要求を第２のネットワーク要素に送信し、第１の取得要求は、第２のネットワーク要素が、ＵＥとＰＤＮとの間にあり、第２のネットワーク要素を通過するパケットに関する情報を、指示情報に従って、取得することを可能にするために使用されることを含み、および同様のことを行うことは理解され得る。
【０１２９】
例えば、フィルタリング条件は、アプリケーション・タイプ、ＩＰ  ５つ組み情報、パケット方向、破棄パケット、許容可能パケット、および期間のうちの１つまたは複数の種類の情報を含み、
指示情報は、
サンプリング・レート、サンプルの総数、サンプリング周期、単位時間内のサンプリングされたパケットの数の上限値、単位時間内のサンプリングされたトラフィックの上限値、パケット内容の長さの上限値、パケット統計量収集を実行する頻度、パケットに関する情報を報告する頻度、パケットに関する情報を報告する回数、パケット情報統計量収集を実行するためのネットワーク要素、パケットに関する情報の取得を終了するための条件、および同様のもののうちの１つまたは複数の種類の情報を含む。
【０１３０】
パケットに関する情報の取得を終了するための条件は、時間、パケットの数、パケット・トラフィックがプリセット値に到達すること、サンプリングされたパケットの数がプリセットされた閾値に到達すること、サンプリングされたパケット・トラフィックが別のプリセットされた閾値に到達すること、または同様の条件を含む。この実施形態におけるフィルタリング条件および指示情報の内容は、単なる簡単な例であり、フィルタリング条件または指示情報に属し得る他の内容も、この実施形態の範囲内に収まるものとする。
【０１３１】
図４Ｂは、本発明の一実施形態によるパケットに関する情報を取得するための方法を示している。図４Ｂに示されているように、この実施形態においてパケットに関する情報を取得するための方法は、以下のように説明される。
【０１３２】
４１１．第１のネットワーク要素は、第３のネットワーク要素によって送信された第２の取得要求を受信し、第２の取得要求は、第１のネットワーク要素に、ＵＥとＰＤＮとの間にあり、第２のネットワーク要素を通過するパケットに関する情報を、第３のネットワーク要素から、取得することを指令するために使用される。
【０１３３】
４１２．第１のネットワーク要素は、第１の取得要求を第２のネットワーク要素に、第２の取得要求に従って送信する。
【０１３４】
４１３．第１のネットワーク要素は、パケットに関する情報を受信し、パケットに関する情報は、第２のネットワーク要素によって送信され、パケットに関する情報は、パケットに関する情報であり、第１の取得要求に従って第２のネットワーク要素によって収集される。
【０１３５】
４１４．第１のネットワーク要素は、パケットに関する情報を第３のネットワーク要素に送信する。
【０１３６】
例えば、第３のネットワーク要素がＡＦであり、第１のネットワーク要素がＰＣＲＦであり、第２のネットワーク要素がＰＣＥＦである場合、ＵＥセッションに使用されるデータ伝送チャネルが、ＵＥがセッションを確立した後に、第３のネットワーク要素と第１のネットワーク要素との間に確立され、さらに、第３のネットワーク要素が、データ伝送チャネルを通じて第２の取得要求を第１のネットワーク要素に送信し、これにより、第１のネットワーク要素は、第２のネットワーク要素によって取得されるべきＵＥのパケットに関する情報を直接学習することができる。
【０１３７】
それに対応して、第１のネットワーク要素は、第１のネットワーク要素と第２のネットワーク要素との間に確立され、ＵＥセッションに使用されるデータ伝送チャネルを通じて第１の取得要求を送信することができる。
【０１３８】
すなわち、第３のネットワーク要素、第１のネットワーク要素、および第２のネットワーク要素は、デフォルトでＵＥを決定し、情報または要求を互いにさらに送信し合うことができ、情報または要求は、ＵＥの識別子を含まない。
【０１３９】
前述の実施形態から、この実施形態におけるパケットに関する情報を取得するための方法に従って、第１のネットワーク要素は、第２の取得要求を受信した後に第１の取得要求を第２のネットワーク要素に送信し、これにより、第２のネットワーク要素は第１の取得要求に従ってＵＥのパケットに関する情報を収集し、さらに、第１のネットワーク要素はパケットに関する情報を受信し、パケットに関する情報は、第２のネットワーク要素によって収集され、第２のネットワーク要素によって送信され、これにより、パケットに関する情報を第３のネットワーク要素に送信することは、知られ得る。こうして、ＰＣＣシステムが従来技術ではユーザー装置に関係するパケットに関する情報を取得することができないという問題が解決される。
【０１４０】
一アプリケーションシナリオにおいて、第３のネットワーク要素と第１のネットワーク要素と間に特定のＵＥ専用のデータ伝送チャネルが存在していない場合、第３のネットワーク要素によって第１のネットワーク要素に送信される第２の取得要求は、少なくともＵＥの識別子を含む。この場合、パケットに関する情報を取得するための方法は、図４Ｃに示されており、以下を含む。
【０１４１】
４２１．ＵＥがベアラーを確立した後に、第１のネットワーク要素は、ＵＥの識別子を含み、第３のネットワーク要素によって送信される第２の取得要求を受信し、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用される。
【０１４２】
例えば、第３のネットワーク要素がＡＦであり、第１のネットワーク要素がＰＣＲＦであり、第２のネットワーク要素がＰＣＥＦ、ＢＢＥＲＦ、またはＴＤＦであるか、または
第３のネットワーク要素が第１の機能公開システムであり、第１のネットワーク要素がＰＣＲＦであり、第２のネットワーク要素がＰＣＥＦ、ＢＢＥＲＦ、もしくはＴＤＦであるか、または、第３のネットワーク要素がＡＦであり、第１のネットワーク要素が第２の機能公開システムであり、第２のネットワーク要素がゲートウェイ、基地局、または同様のものである。
【０１４３】
４２２．第１のネットワーク要素は、ＵＥの識別子を含む第１の取得要求を第２の取得要求に従って第２のネットワーク要素に送信する。
【０１４４】
例えば、ＵＥの識別子は、限定はしないが、ＵＥのＩＰアドレス、ＡＰＮ、ＩＭＳＩ、ＭＳＩＳＤＮ、および同様のものを含む。
【０１４５】
４２３．第１のネットワーク要素は、ＵＥの識別子に対応するＵＥとＰＤＮとの間にあり、第２のネットワーク要素を通過するパケットに関する情報を受信し、パケットに関する情報は、第２のネットワーク要素によって収集され、第２のネットワーク要素によって送信される。
【０１４６】
４２４．第１のネットワーク要素は、パケットに関する情報を第３のネットワーク要素に送信する。
【０１４７】
さらに、第３のネットワーク要素は、パケットに関する情報に従ってサービスを調整する。
【０１４８】
この実施形態におけるパケットに関する情報は、単一のパケットに関する情報および／またはパケット統計量情報を含み得る。
【０１４９】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、およびパケットの内容の全部または一部のうちの１つまたは複数の種類の情報を含む。
【０１５０】
パケット統計量情報は、
パケットの数に関する統計量情報、異なるパケット長のパケットの数に関する統計量情報、パケット・トラフィック統計量情報、およびＱｏＳ統計量情報のうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０１５１】
確かに、実用的なアプリケーションでは、第２の取得要求は、少なくともフィルタリング条件および／または指示情報を含み、第２の取得要求に従って第１のネットワーク要素によって第２のネットワーク要素に送信される第１の取得要求も、少なくともフィルタリング条件および／または指示情報を含む。
【０１５２】
すなわち、第１のネットワーク要素は、第３のネットワーク要素によって送信された第２の取得要求を受信し、これは
第１のネットワーク要素によって、フィルタリング条件を含み、第３のネットワーク要素によって送信される第２の取得要求を受信し、第２の取得要求は、第１のネットワーク要素に、ＵＥとＰＤＮとの間にあり、第２のネットワーク要素を通過するパケットに関する情報を、第２のネットワーク要素から、取得することを指令するために使用され、パケットに関する情報はフィルタリング条件に従って第２のネットワーク要素によって収集されることを含み、
第１のネットワーク要素は、第１の取得要求を第２のネットワーク要素に送信し、このことは、
第１のネットワーク要素によって、フィルタリング条件を含む第１の取得要求を第２のネットワーク要素に送信し、第１の取得要求は、第２のネットワーク要素に、ＵＥとＰＤＮとの間にあり、第２のネットワーク要素を通過するパケットに関する情報を、フィルタリング条件に従って、取得することを指令するために使用されることを含むか、
または
第１のネットワーク要素は、第３のネットワーク要素によって送信された第２の取得要求を受信し、これは
第１のネットワーク要素によって、指示情報を含み、第３のネットワーク要素によって送信される第２の取得要求を受信し、第２の取得要求は、第１のネットワーク要素に、ＵＥとＰＤＮとの間にあり、第２のネットワーク要素を通過するパケットに関する情報を、第２のネットワーク要素から、取得することを指令するために使用され、パケットに関する情報は指示情報に従って第２のネットワーク要素によって収集されることを含み、
第１のネットワーク要素は、第１の取得要求を第２のネットワーク要素に送信し、このことは、
第１のネットワーク要素によって、指示情報を含む第１の取得要求を第２のネットワーク要素に送信し、第１の取得要求は、第２のネットワーク要素に、ＵＥとＰＤＮとの間にあり、第２のネットワーク要素を通過するパケットに関する情報を、指示情報に従って、取得することを指令するために使用されることを含む。フィルタリング条件および指示情報については、他の実施形態における説明を参照のこと。
【０１５３】
前述の実施形態から、この実施形態におけるパケットに関する情報を取得するための方法に従って、第１のネットワーク要素は、第２の取得要求を受信した後に第１の取得要求を第２のネットワーク要素に送信し、これにより、第２のネットワーク要素は、第１の取得要求に従って、ＵＥの識別子に対応するパケットに関する情報を収集し、さらに、第１のネットワーク要素は、パケットに関する情報を受信し、パケットに関する情報は、第２のネットワーク要素によって収集され、第２のネットワーク要素によって送信され、これにより、パケットに関する情報を第３のネットワーク要素に送信することは、知られ得る。こうして、ＰＣＣシステムが従来技術ではユーザー装置に関係するパケットに関する情報を取得することができないという問題が解決される。
【０１５４】
図４Ａに示されている実施形態に基づき、図４Ｄは、本発明の別の実施形態によるパケットに関する情報を取得するための方法を示している。図４Ｄに示されているように、この実施形態においてパケットに関する情報を取得するための方法は、以下のステップ４０３をさらに含む。
【０１５５】
４０３．第１のネットワーク要素は、第１のパケット情報キャンセル要求を第２のネットワーク要素に送信し、これにより、第２のネットワーク要素が、第１のパケット情報キャンセル要求を受信した後に、ＵＥとＰＤＮとの間にあり、第２のネットワーク要素を通過するパケットに関する情報の収集をキャンセルする。
【０１５６】
確かに、実用的なアプリケーションでは、第２のネットワーク要素が、第１のパケット情報キャンセル要求を受信する前にパケットに関する情報をさらに収集する場合、第１のネットワーク要素は、パケットに関する情報を受信することができ、パケットに関する情報は、第２のネットワーク要素によって収集され、第２のネットワーク要素によって送信される。
【０１５７】
第１のパケット情報キャンセル要求は、少なくともＵＥの識別子を含み、他のパラメータは、実際のニーズに応じて構成されることは理解され得る。例えば、第１のネットワーク要素は、ＵＥの識別子を含む第１のパケット情報キャンセル要求を第２のネットワーク要素に送信し、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルする。
【０１５８】
図４Ｂに示されている実施形態に基づき、図４Ｅは、本発明の別の実施形態によるパケットに関する情報を取得するための方法を示している。図４Ｅに示されているように、この実施形態においてパケットに関する情報を取得するための方法は、以下のステップ４１５およびステップ４１６をさらに含む。
【０１５９】
４１５．第１のネットワーク要素は、第３のネットワーク要素によって送信された第２のパケット情報キャンセル要求を受信し、第２のパケット情報キャンセル要求は、第１のネットワーク要素に、パケットに関する情報の取得をキャンセルするための第１のパケット情報キャンセル要求を第２のネットワーク要素に送信することを指令するために使用される。
【０１６０】
４１６．第１のネットワーク要素は、第１のパケット情報キャンセル要求を第２のネットワーク要素に送信し、これにより、第２のネットワーク要素が、第１のパケット情報キャンセル要求を受信した後に、ＵＥとＰＤＮとの間にあり、第２のネットワーク要素を通過するパケットに関する情報の収集をキャンセルする。
【０１６１】
実用的なアプリケーションでは、第２のパケット情報キャンセル要求が、少なくともＵＥの識別子を含み、第１のパケット情報キャンセル要求が、少なくともＵＥの識別子を含むことは理解され得る。
【０１６２】
それに対応して、第１のネットワーク要素は、ＵＥの識別子を含み、第３のネットワーク要素によって送信される第２のパケット情報キャンセル要求を受信し、第２のパケット情報キャンセル要求は、第１のネットワーク要素に、ＵＥの識別子に対応するパケットに関する情報の取得をキャンセルするための第１のパケット情報キャンセル要求を第２のネットワーク要素に送信することを指令するために使用される。
【０１６３】
第１のネットワーク要素は、ＵＥの識別子を含む第１のパケット情報キャンセル要求を第２のネットワーク要素に送信し、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルする。
【０１６４】
適宜、実用的なアプリケーションにおいて、図４Ｅに示されている実施形態に基づき、ステップ４１６の後に、パケットに関する情報を取得するための方法は、図に示されていない以下のステップ４１７およびステップ４１８をさらに含む。
【０１６５】
４１７．第２のネットワーク要素が、第１のパケット情報キャンセル要求を受信する前に、ＵＥの識別子に対応するＵＥとＰＤＮとの間にあり、第２のネットワーク要素を通過するパケットに関する情報をさらに収集する場合に、第１のネットワーク要素は、パケットに関する情報を受信することができ、パケットに関する情報は、第２のネットワーク要素によって収集され、第２のネットワーク要素によって送信される。
【０１６６】
４１８．第１のネットワーク要素は、パケットに関する情報を第３のネットワーク要素に送信する。
【０１６７】
一アプリケーションシナリオにおいて、図４Ｆに示されているように、図４Ｂに基づき、ステップ４１２の前に、この実施形態においてパケットに関する情報を取得するための方法は、以下のステップ４１２ａをさらに含む。
【０１６８】
４１２ａ．第１のネットワーク要素は、ＵＥの認可情報がＵＥのサブスクリプション情報の中に存在することを判定する。
【０１６９】
ＵＥの認可情報は、ＵＥがＵＥとＰＤＮとの間のパケットに関する情報の提供を許可するという情報である。
【０１７０】
すなわち、第１のネットワーク要素は、ＵＥがベアラーを確立したときにＵＥのサブスクリプション情報を事前取得する。
【０１７１】
代替的に、別の実施形態において、第１のネットワーク要素は、ＵＥの識別子およびＵＥのサブスクリプション情報に従ってＵＥの認可情報を判定し、ＵＥの認可情報は、ＵＥがＵＥとＰＤＮとの間のパケットに関する情報の提供を許可するという情報である。
【０１７２】
確かに、第１のネットワーク要素が、ＵＥのサブスクリプション情報に従って、ＵＥがＵＥのパケットに関する情報の提供を拒絶すると判定した場合に、第１のネットワーク要素は、パケットに関する情報を取得する要求、すなわち、第２の取得要求を拒絶し、パケットに関する情報を取得する要求は、第３のネットワーク要素によって送信されることに留意されたい。
【０１７３】
オプションの一実施形態において、ＵＥのサブスクリプション情報が、第１のネットワーク要素の中に存在していない場合、第１のネットワーク要素は、ＵＥの識別子に従ってＳＰＲ／ＵＤＲから、ＵＥの識別子に対応するＵＥのサブスクリプション情報を取得し、  ＵＥのサブスクリプション情報を取得した後に、第１のネットワーク要素は、ＵＥの認可情報がＵＥのサブスクリプション情報の中に存在すると判定する。
【０１７４】
別のオプションの実施形態において、ＵＥのサブスクリプション情報が、第１のネットワーク要素の中に存在していない場合、第１のネットワーク要素は、認可要求をＵＥの識別子に対応するＵＥに送信することができ、認可要求は、ＵＥがＵＥとＰＤＮとの間のパケットに関する情報の提供を許可するという情報を含み、
ＵＥが、ＵＥとＰＤＮとの間のパケットに関する情報の開示を許可する場合に、第１のネットワーク要素は、認可要求に従ってＵＥによって送信されるＵＥの認可情報を受信する。
【０１７５】
適宜、第１のネットワーク要素が機能公開システムである場合、この場合、ユーザーのサブスクリプション情報などの、ＵＥの認可情報は、ＳＰＲ、ＵＤＲ、ホーム加入者サーバー（Ｈｏｍｅ  Ｓｕｂｓｃｒｉｂｅｒ  Ｓｅｒｖｅｒ、略してＨＳＳ）、またはＨＬＲなどの、ネットワーク要素上に格納され得る。
【０１７６】
第３のネットワーク要素がＡＦであり、第１のネットワーク要素がＰＣＲＦである場合、ＰＣＲＦが、パケットに関する情報を取得するために使用され、ＡＦによって送信される第２の取得要求を受信すると、ＰＣＲＦは、ショート・メッセージ・システムを使用することによってショート・メッセージをＵＥに送信することができ、これにより、認可を実行することをユーザーに要求し、ユーザーは認可を実行するか、または拒絶することができる。ユーザーが認可を拒絶した場合、ＰＣＲＦは、メッセージ通知をＡＦに送信し、もはやその後のステップを実行することはなく、拒絶しない場合、ＰＣＲＦは、ステップ４１２からステップ４１４、またはステップ４１２からステップ４１８などのその後のステップを実行する。
【０１７７】
この実施形態でパケットに関する情報を取得するための方法を用いることで、ＰＣＣシステムが従来技術ではユーザー装置に関係するパケットに関する情報を取得することができないという問題が解決され得る。
【０１７８】
第１のネットワーク要素がＰＣＲＦである場合に、ＰＣＲＦにパケット統計量情報を要求する第３のネットワーク要素は、ＡＦに限定されず、任意のネットワーク要素であってよく、限定はしないが、ＵＥにサービスを提供するストリーミング・メディア・サーバー、ネットワーク管理システム、および同様のものを含むことは理解されるべきである。
【０１７９】
この場合、図３を参照すると、ＡＦとＰＣＲＦとの間にＲｘセッションが確立されるという前提条件は、ステップ４１１ではもはや必要とされない。Ｒｘインターフェースは、第３のネットワーク要素とＰＣＲＦとの間に採用されるものとしてよいか、またはＸＭＬインターフェースなどの他のインターフェースが採用されるものとしてよいが、実施形態では限定されない。例えば、第３のネットワーク要素がＰＣＲＦデバイスのネットワーク管理システムである場合、第３のネットワーク要素とＰＣＲＦとの間にネットワーク管理インターフェースが採用され得る。
【０１８０】
別の可能な実装方法において、第１の取得要求は、図５Ａに示されている実施形態で説明されているように、少なくとも指定されたファイル・サーバー・アドレスに関する情報を含むか、または、第１の取得要求は、図５Ｂに示されている実施形態で説明されているように、少なくとも指定された報告先サーバー・アドレスに関する情報を含む。
【０１８１】
図５Ａは、本発明の一実施形態によるパケットに関する情報を取得するための方法を示している。図５Ａに示されているように、この実施形態においてパケットに関する情報を取得するための方法は、以下のように説明される。
【０１８２】
５０１．ＵＥがベアラーを確立した後に、第１のネットワーク要素は、指定されたファイル・サーバー・アドレスに関する情報を含む第１の取得要求を第２のネットワーク要素に送信し、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、第２のネットワーク要素は、そのファイルを指定されたファイル・サーバー・アドレスに関する情報に対応するファイル・サーバーにアップロードする。
【０１８３】
５０２．第１の取得要求を受信した後に、第２のネットワーク要素は、ＵＥとＰＤＮとの間にあり、第２のネットワーク要素を通過するパケットに関する情報を収集し、これにより、第２のネットワーク要素は、パケットに関する収集された情報をファイルとして格納し、第２のネットワーク要素は、そのファイルを指定されたファイル・サーバー・アドレスに関する情報に対応するファイル・サーバーにアップロードする。
【０１８４】
実用的なアプリケーションにおいて、ステップ５０２で、「ファイルを指定されたファイル・サーバー・アドレスに関する情報に対応するファイル・サーバーにアップロードする」ステップの前に、第２のネットワーク要素は、指定されたファイル・サーバー・アドレスに関する情報に従ってファイル・サーバーとのデータ伝送チャネルを確立することをさらに必要とする。
【０１８５】
例えば、第１のネットワーク要素がＰＣＲＦであり、第２のネットワーク要素がＰＣＥＦ、ＢＢＥＲＦ、またはＴＤＦであるか、または
第１のネットワーク要素が第２の機能公開システムであり、第２のネットワーク要素がゲートウェイまたは基地局である。
【０１８６】
適宜、第１の取得要求は、ＵＥの識別子を含む。
【０１８７】
確かに、実用的なアプリケーションでは、第１のネットワーク要素は、第１の取得要求において、指定されたファイル・サーバーの種類、ユーザー名、パスワード、ファイル形式、ファイル・サイズの上限、ファイルに対応する持続時間の上限、ファイルの数の上限、ファイル暗号化アルゴリズムおよびパラメータ、ファイル命名規則、またはファイルをアップロードするための期間および／またはファイルをアップロードするための遅延時間の上限などの、パラメータをさらに伝送することができる。この実施形態は、説明の一例としてのみ使用される。
【０１８８】
それに加えて、ファイル・サーバーの種類は、限定はしないが、ＦＴＰ、ＴＦＴＰ、および同様のものを含む。
【０１８９】
図５Ｂは、本発明の一実施形態によるパケットに関する情報を取得するための方法を示している。図５Ｂに示されているように、この実施形態においてパケットに関する情報を取得するための方法は、以下のように説明される。
【０１９０】
５１１．ＵＥがベアラーを確立した後に、第１のネットワーク要素は、指定された報告先サーバー・アドレスに関する情報を含む第１の取得要求を第２のネットワーク要素に送信し、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【０１９１】
５１２．第１の取得要求を受信した後に、第２のネットワーク要素は、ＵＥとＰＤＮとの間にあり、第２のネットワーク要素を通過するパケットに関する情報を収集し、パケットに関する収集された情報を指定された報告先サーバー・アドレスに関する情報に対応するサーバーにアップロードする。
【０１９２】
実用的なアプリケーションにおいて、ステップ５０２における「パケットに関する収集された情報を指定された報告先サーバー・アドレスに関する情報に対応するサーバーにアップロードする」ステップの前に、第２のネットワーク要素は、指定された報告先サーバー・アドレスに関する情報に従ってサーバーとのデータ伝送チャネルを確立することをさらに必要とする。
【０１９３】
適宜、第１の取得要求は、図５Ｃに示されているように、ＵＥの識別子をさらに含み得る。図５Ｃは、本発明の一実施形態によるパケットに関する情報を取得するための方法を示している。この実施形態においてパケットに関する情報を取得するための方法は、以下のように説明される。
【０１９４】
５２１．ＵＥがベアラーを確立した後に、第１のネットワーク要素は、ＵＥの識別子および指定されたファイル・サーバー・アドレスに関する情報を含み、第３のネットワーク要素によって送信される第２の取得要求を受信し、第２の取得要求は、第１のネットワーク要素に、ＵＥの識別子に対応するＵＥとＰＤＮとの間でパケットに関する情報を、第２のネットワーク要素から、取得することを指令するために使用され、これにより、第２のネットワーク要素は、パケットに関する収集された情報をファイルとして格納し、ファイルを指定されたファイル・サーバー・アドレスに関する情報に対応するファイル・サーバーにアップロードする。
【０１９５】
５２２．第１のネットワーク要素は、第２の取得要求に従って、ＵＥの識別子および指定されたファイル・サーバー・アドレスに関する情報を含む第１の取得要求を第２のネットワーク要素に送信し、これにより、第２のネットワーク要素は、第１の取得要求を受信した後にパケットに関する情報を収集し、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【０１９６】
確かに、第１の取得要求を受信した後に、第２のネットワーク要素は、第１の取得要求内の指定されたファイル・サーバー・アドレスに関する情報に従ってファイル・サーバーとのデータ伝送チャネルを確立することができ、さらに、第２のネットワーク要素は、ＵＥの識別子に対応するパケットに関する情報を収集し、パケットに関する収集された情報をファイルとして格納し、データ伝送チャネルを通じて、ファイルを指定されたファイル・サーバー・アドレスに関する情報に対応するファイル・サーバーにアップロードする。
【０１９７】
確かに、実用的なアプリケーションでは、第３のネットワーク要素によって送信され、第１のネットワーク要素によって受信される第２の取得要求は、指定されたファイル・サーバーの種類、ユーザー名、パスワード、ファイル形式、ファイル・サイズの上限、ファイルに対応する持続時間の上限、ファイルの数の上限、ファイル暗号化アルゴリズムおよびパラメータ、ファイル命名規則、またはファイルをアップロードするための期間および／またはファイルをアップロードするための遅延時間の上限などの、パラメータを伝送する。この実施形態は、説明の一例としてのみ使用される。
【０１９８】
それに加えて、ファイル・サーバーの種類は、限定はしないが、ファイル転送プロトコル（Ｆｉｌｅ  Ｔｒａｎｓｆｅｒ  Ｐｒｏｔｏｃｏｌ、略してＦＴＰ）、トリビアル・ファイル転送プロトコル（Ｔｒｉｖｉａｌ  ＦＴＰ、略してＴＦＴＰ）、および同様のものを含む。
【０１９９】
例えば、第３のネットワーク要素がＡＦであり、第１のネットワーク要素がＰＣＲＦであり、第２のネットワーク要素がＰＣＥＦ、ＢＢＥＲＦ、またはＴＤＦであるか、または
第３のネットワーク要素は、第１の機能公開システムであってよく、第１のネットワーク要素がＰＣＲＦであり、第２のネットワーク要素がＰＣＥＦであるか、または、第３のネットワーク要素がＡＦであり、第１のネットワーク要素は、第２の機能公開システムであってよく、第２のネットワーク要素がゲートウェイまたは基地局である。
【０２００】
第３のネットワーク要素がＡＦであり、第１のネットワーク要素がＰＣＲＦであり、第２のネットワーク要素がＰＣＥＦ、ＢＢＥＲＦ、もしくはＴＤＦである場合、第２の取得要求および第１の取得要求は、ＵＥの識別子を含み得ないことに留意されたい。この場合、第２の取得要求は、ＵＥがセッションを確立したときに確立されたデータ伝送チャネルを通じてＡＦによってＰＣＲＦに送信される第２の取得要求であってよく、第１の取得要求は、ＰＣＲＦとＰＣＥＦ／ＢＢＥＲＦ／ＴＤＦとの間のデータ伝送チャネルを通じてＰＣＲＦによってＰＣＥＦ／ＢＢＥＲＦ／ＴＤＦに送信される第１の取得要求であってよく、このデータ伝送チャネルは、ＵＥがセッションを確立したときに確立される。
【０２０１】
したがって、第３のネットワーク要素がＡＦである場合、ＡＦは、ファイル・サーバーでそれぞれのＵＥのパケットに関する情報を分析するものとしてよく、さらに、それぞれのＵＥのパケットに関する情報に従ってサービスを調整する。
【０２０２】
図５Ｄは、本発明の一実施形態によるパケットに関する情報を取得するための方法を示している。図５Ｄに示されているように、この実施形態においてパケットに関する情報を取得するための方法は、以下のように説明される。
【０２０３】
５３１．ＵＥがベアラーを確立した後に、第１のネットワーク要素は、ＵＥの識別子および指定された報告先サーバー・アドレスに関する情報を含み、第３のネットワーク要素によって送信される第２の取得要求を受信し、第２の取得要求は、第１のネットワーク要素に、ＵＥの識別子に対応するパケットに関する情報を、第２のネットワーク要素から、取得することを指令するために使用され、これにより、第２のネットワーク要素は、ＵＥの識別子に対応するパケットに関する収集された情報を指定された報告先サーバー・アドレスに関する情報に対応するサーバーに報告する。
【０２０４】
５３２．第１のネットワーク要素は、第２の取得要求に従って、ＵＥの識別子および指定された報告先サーバー・アドレスに関する情報を含む第１の取得要求を第２のネットワーク要素に送信し、これにより、第２のネットワーク要素は、第１の取得要求を受信した後に、ＵＥの識別子に対応するパケットに関する情報を収集し、第２のネットワーク要素は、パケットに関する情報を指定された報告先サーバー・アドレスに関する情報に対応するサーバーに報告する。
【０２０５】
他の実施形態の説明も参照されたい。第１の取得要求を受信した後に、第２のネットワーク要素は、第１の取得要求内の指定された報告先サーバー・アドレスに関する情報に従ってサーバーとのデータ伝送チャネルを確立し、これにより、第２のネットワーク要素は、ＵＥの識別子に対応するパケットに関する情報を収集し、データ伝送チャネルを通じて、パケットに関する収集された情報を指定された報告先サーバー・アドレスに関する情報に対応するサーバーにアップロードする。
【０２０６】
例えば、第３のネットワーク要素がＡＦであり、第１のネットワーク要素がＰＣＲＦであり、第２のネットワーク要素がＰＣＥＦ、ＢＢＥＲＦ、もしくはＴＤＦである場合、第２の取得要求および第１の取得要求は、ＵＥの識別子を含み得ない。この場合、第２の取得要求は、ＵＥがセッションを確立したときに確立されたデータ伝送チャネルを通じてＡＦによってＰＣＲＦに送信される第２の取得要求であってよく、第１の取得要求は、ＰＣＲＦとＰＣＥＦ／ＢＢＥＲＦ／ＴＤＦとの間のデータ伝送チャネルを通じてＰＣＲＦによってＰＣＥＦ／ＢＢＥＲＦ／ＴＤＦに送信される第１の取得要求であってよく、このデータ伝送チャネルは、ＵＥがセッションを確立したときに確立される。
【０２０７】
前述の実施形態のうちのいずれか１つにおいて、第３のネットワーク要素は、ＡＦまたは第１の機能公開システムであってよく、第１のネットワーク要素は、ＰＣＲＦまたは第２の機能公開システムであってよく、
第２のネットワーク要素は、ＰＣＥＦ、ＴＤＦ、ＢＢＥＲＦ、ゲートウェイ、または基地局であってよい。
【０２０８】
前述の実施形態のうちの１つの実施形態におけるパケットに関する情報は、単一のパケットに関する情報および／またはパケット統計量情報を含み得る。
【０２０９】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、パケットの内容の全部または一部、および同様のもののうちの１つまたは複数の種類の情報を含む。
【０２１０】
パケット統計量情報は、
パケットの数に関する統計量情報、異なるパケット長のパケットの数に関する統計量情報、パケット・トラフィック統計量情報、ＱｏＳ統計量情報、および同様のもののうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０２１１】
別の実施形態において、第１のネットワーク要素によって第２のネットワーク要素に送信される第１の取得要求は、少なくともフィルタリング条件または指示情報を含む。この場合、第１のネットワーク要素は、第２のネットワーク要素に、フィルタリング条件を伝える第１の取得要求を送信し、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
第１のネットワーク要素は、第２のネットワーク要素に、指示情報を伝える第１の取得要求を送信し、第１の取得要求は、第２のネットワーク要素に、ＵＥとＰＤＮとの間にあり、第２のネットワーク要素を通過するパケットに関する情報を、指示情報に従って、取得することを指令するために使用される。
【０２１２】
それに加えて、第１のネットワーク要素が第２の取得要求を受信する場合、第２の取得要求は、少なくともフィルタリング条件および／または指示情報を含む。それに対応して、第１のネットワーク要素は、フィルタリング条件を含む第２の取得要求に従って、第１の取得要求を第２のネットワーク要素に送信し、この場合、第１の取得要求は、フィルタリング条件を含むか、または、第１のネットワーク要素は、指示情報を含む第２の取得要求に従って、第１の取得要求を第２のネットワーク要素に送信し、この場合、第１の取得要求は、指示情報を含み、これにより、第２のネットワーク要素は、フィルタリング条件または指示情報に従って、ＵＥとＰＤＮとの間にあり、第２のネットワーク要素を通過するパケットに関する情報を取得する。
【０２１３】
例えば、フィルタリング条件は、アプリケーション・タイプ、ＩＰ  ５つ組み情報、パケット方向、破棄パケット、許容可能パケット、および期間のうちの１つまたは複数の種類の情報を含み、
指示情報は、
サンプリング・レート、サンプルの総数、サンプリング周期、単位時間内のサンプリングされたパケットの数の上限値、単位時間内のサンプリングされたトラフィックの上限値、パケット内容の長さの上限値、
パケット統計量収集を実行する頻度、パケットに関する情報を報告する頻度、パケットに関する情報を報告する回数、パケット情報統計量収集を実行するためのネットワーク要素、パケットに関する情報の取得を終了するための条件、および同様のもののうちの１つまたは複数の種類の情報を含む。
【０２１４】
パケットに関する情報の取得を終了するための条件は、時間、パケットの数、パケット・トラフィックがプリセット値に到達すること、サンプリングされたパケットの数がプリセットされた閾値に到達すること、サンプリングされたパケット・トラフィックが別のプリセットされた閾値に到達すること、または同様の条件を含む。この実施形態におけるフィルタリング条件および指示情報の内容は、簡単な例であり、フィルタリング条件または指示情報に属し得る他の内容も、この実施形態の範囲内に収まるものとする。
【０２１５】
図６Ａは、本発明の一実施形態によるパケットに関する情報を取得するための方法を示している。図６Ａに示されているように、この実施形態においてパケットに関する情報を取得するための方法は、以下のように説明される。
【０２１６】
６０１．ＵＥがベアラーを確立した後に、ＰＣＲＦは、ＡＦによって送信された第２の取得要求を受信し、第２の取得要求は、ＰＣＲＦに、ＵＥとＰＤＮとの間にあり、ＰＣＥＦを通過するパケットに関する情報を、ＰＣＥＦから、取得することを指令するために使用される。
【０２１７】
例えば、パケットに関する情報は、単一のパケットに関する情報および／またはパケット統計量情報を含む。
【０２１８】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、およびパケットの内容の全部または一部のうちの１つまたは複数の種類の情報を含む。
【０２１９】
パケット統計量情報は、
パケットの数に関する統計量情報、異なるパケット長のパケットの数に関する統計量情報、パケット・トラフィック統計量情報、ＱｏＳ統計量情報、および同様のもののうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０２２０】
６０２．ＰＣＲＦは、第１の取得要求をＰＣＥＦに、第２の取得要求に従って送信し、これにより、ＰＣＥＦは、第１の取得要求に従って、ＵＥとＰＤＮとの間にあり、ＰＣＥＦを通過するパケットに関する情報を収集する。
【０２２１】
６０３．ＰＣＲＦは、パケットに関する情報を受信し、パケットに関する情報は、ＰＣＥＦによって収集され、ＰＣＥＦによって送信される。
【０２２２】
６０４．ＰＣＲＦは、パケットに関する情報をＡＦに送信する。
【０２２３】
実用的なアプリケーションにおいて、ステップ６０２の前に、パケットに関する情報を取得するための方法は、図に示されていない以下のステップ６０２ａをさらに含み得る。
【０２２４】
６０２ａ．ＰＣＲＦは、ＵＥの事前取得されたサブスクリプション情報に従って、ＵＥの認可情報が存在することをチェックする。
【０２２５】
ＵＥの認可情報は、ＵＥがＵＥとＰＤＮとの間のパケットに関する情報の提供を許可するという情報である。
【０２２６】
一般的に、ＵＥがベアラーを確立するときに、ＰＣＲＦは、ＵＥのサブスクリプション情報を事前取得することができる。
【０２２７】
別の実施形態において、ＰＣＲＦは、ＳＰＲ／ＵＤＲ／ＨＳＳから取得されたＵＥのサブスクリプション情報に従って、またはＰＣＲＦ上で構成されている通信事業者ポリシーから取得されたＵＥのサブスクリプション情報に従って、次いで、ＵＥのサブスクリプション情報に従って、ＵＥの認可情報が存在しているかどうかをチェックすることができる。ＵＥの認可情報がＵＥのサブスクリプション情報の中に存在していない場合、ＰＣＲＦは、メッセージをＡＦに送信して、それにより、ＡＦに、第２の取得要求を拒絶し、その後のステップをもはや実行しないことを指令する。
【０２２８】
それに加えて、適宜、ＰＣＥＦは、ＰＣＲＦの第１の取得要求に従って、ＵＥの識別子に対応するパケットに関する情報に関する統計量を収集し、パケットに関する情報をＰＣＲＦに報告する。前述のステップ６０３およびステップ６０４は、繰り返し複数回実行されるものとしてよく、パケットに関する情報は複数回報告され得る。
【０２２９】
第１の可能な実装方法において、ＡＦは、情報が取得される必要があるパケットに対するフィルタリング条件を指定することができ、このフィルタリング条件は、限定はしないが、アプリケーション・タイプ、ＩＰ  ５つ組み情報、パケット方向（アップリンク、ダウンリンク、またはアップリンクとダウンリンク）、破棄パケット、許容可能パケット、期間、および同様のもののうちの１つまたは複数の種類の情報を含む。
【０２３０】
すなわち、第２の取得要求は、フィルタリング条件を含み、例えば、ＰＣＲＦは、フィルタリング条件を含み、ＡＦによって送信される第２の取得要求を受信し、フィルタリング条件は、前述の説明どおりである。それに対応して、第１の取得要求は、フィルタリング条件も含み、例えば、ＰＣＲＦは、フィルタリング条件を含む第１の取得要求をＰＣＥＦに、第２の取得要求に従って送信し、これにより、ＰＣＥＦは、フィルタリング条件を満たすパケットに関する情報を収集し、ＰＣＲＦを使用することによってフィルタリング条件を満たすパケットに関する情報をＡＦにさらに報告することができる。
【０２３１】
第２の可能な実装方法において、ＡＦは、１つの指示情報を使用することによって、取得される必要があるパケット情報の種類をさらに指定することができ、指示情報は、限定はしないが、サンプリング・レート、サンプルの総数、サンプリング周期、単位時間内のサンプリングされたパケットの数の上限値、単位時間内のサンプリングされたトラフィックの上限値、パケット内容の長さの上限値、
パケット統計量収集を実行する頻度、パケットに関する情報を報告する頻度、パケットに関する情報を報告する回数、パケットの数、パケット・トラフィックがプリセットされた閾値に到達すること、サンプリングされたパケットの数がプリセットされた閾値に到達すること、サンプリングされたパケット・トラフィックが別のプリセットされた閾値に到達すること、パケット情報統計量収集を実行するためのネットワーク要素、および同様のもののうちの１つまたは複数の種類の情報を含む。
【０２３２】
パケット情報の種類毎に、指示情報は、アップリンク、ダウンリンク、または全統計量情報が取得される必要のあることをさらに指定することができる。指示情報は、以下で説明されている第１の指示情報であるものとしてよい。
【０２３３】
第２の取得要求は、第１の指示情報を含むことができ、例えば、ＰＣＲＦは、第１の指示情報を含み、ＡＦによって送信される第２の取得要求を受信し、第１の指示情報は、ＡＦが取得することを必要とするパケット情報の種類を指示するために使用され、第１の指示情報は、前述の例で説明されている内容であることは理解され得る。それに対応して、第１の取得要求は、第１の指示情報も含むものとしてよく、例えば、ＰＣＲＦは、第１の指示情報を含む第１の取得要求をＰＣＥＦに、第２の取得要求に従って送信し、これにより、ＰＣＥＦは、第１の指示情報を満たすパケットに関する情報を収集し、ＰＣＲＦを使用することによって第１の指示情報を満たすパケットに関する情報をＡＦにさらに報告することができる。
【０２３４】
第３の可能な実装方法において、ＡＦは、第２の指示情報を使用することによって、報告頻度および／または報告時間数、例えば、報告のための時間間隔、毎回報告するためのパケットの数、毎回報告するためのトラフィックの量、毎回報告するためのサンプリングされるパケットの数、および毎回報告するためのサンプリングされるトラフィックの量、および総報告時間数をさらに指定することができる。ＡＦが報告頻度および／または報告時間数を指定しない場合、ＰＣＥＦは、単一のパケットに関する情報および／またはパケット統計量情報を随時報告する。
【０２３５】
したがって、第２の取得要求は、第２の指示情報を含み、例えば、ＰＣＲＦは、第２の指示情報を含み、ＡＦによって送信される第２の取得要求を受信し、第２の指示情報は、ＰＣＥＦによって実行される報告の頻度および／または回数を指示するために使用され、第２の指示情報は、前述の例で説明されている内容である。それに対応して、第１の取得要求は、第２の指示情報も含み、例えば、ＰＣＲＦは、第２の取得要求に従って、第２の指示情報を含む第１の取得要求をＰＣＥＦに送信し、これにより、ＰＣＥＦは、第２の指示情報に従ってＰＣＲＦを使用することによってパケットに関する収集された情報をＡＦに報告する。
【０２３６】
第４の可能な実装方法において、ＡＦは、第３の指示情報を使用することによって、パケットに関する情報の取得を終了するための条件を指定することができ、第３の指示情報は、時間、パケットの数、パケット・トラフィックが閾値に到達すること、サンプリングされたパケットの数、サンプリングされたパケット・トラフィックが閾値に到達すること、または同様の条件を含む。したがって、第２の取得要求は、第３の指示情報を含み、例えば、ＰＣＲＦは、第３の指示情報を含み、ＡＦによって送信される第２の取得要求を受信し、第３の指示情報は、パケットに関する情報の収集をＰＣＥＦが終了するための条件を指示するために使用され、第３の指示情報は、前述の例で説明されている内容である。
それに対応して、第１の取得要求は、第３の指示情報も含み、例えば、ＰＣＲＦは、第２の取得要求に従って、第３の指示情報を含む第１の取得要求をＰＣＥＦに送信し、これにより、ＰＣＥＦは、第３の指示情報に従って、ＵＥの識別子に対応するパケットに関する情報を収集し、ＰＣＲＦを使用することによってパケットに関する収集された情報をＡＦにさらに報告する。適宜、パケット情報収集時に、ＰＣＥＦは、第３の指示情報によって指定されたパケット情報終了条件が満たされたときに１回トラフィック情報を報告する。
【０２３７】
第５の可能な実装方法において、ＡＦは、統計量情報を取得するためのネットワーク要素をさらに指定し得るが、これは、限定はしないが、ＰＣＥＦ、ＢＢＥＲＦ、およびＴＤＦを含む。統計量情報を取得するためのネットワーク要素が指定された場合、その後のステップでＰＣＥＦは、指定されたネットワーク要素で置き換えられる。統計量情報を取得するためのネットワーク要素が指定されていない場合、ＰＣＲＦは、デフォルトでＰＣＥＦから統計量情報を取得するが、１つの例外は以下のとおりである。ＡＦによって指定されたフィルタリング条件がアプリケーション・タイプ（ビデオ・タイプ、オーディオ・タイプ、またはテキスト・タイプなど）を含むときに、ＰＣＥＦがＤＰＩ機能を有していない場合、ＰＣＲＦは、ＴＤＦからパケット統計量情報を取得する。簡単のため、ＰＣＥＦのみが図６Ａに示されている。
【０２３８】
ＡＦが指示情報またはフィルタリング条件を指定しない場合、ＰＣＲＦはデフォルトのシステム設定に従ってオペレーションを実行するものであることは理解され得る。
【０２３９】
例えば、図６Ｂに示されているように、この実施形態においてパケットに関する情報を取得するための方法は、以下を含む。
【０２４０】
６１１．ＵＥがベアラーを確立した後に、ＰＣＲＦは、ＵＥの識別子および第４の指示情報を含み、ＡＦによって送信される第２の取得要求を受信し、第２の取得要求は、ＰＣＲＦに、ＵＥの識別子に対応するＵＥとＰＤＮとの間にあり、ＴＤＦを通過するパケットに関する統計量情報を、ＴＤＦから、取得することを指令するために使用される。
【０２４１】
第４の指示情報は、ＰＣＲＦに、ＴＤＦからパケットに関する統計量情報を取得することを指令するものであることは理解され得る。
【０２４２】
６１２．ＰＣＲＦは、第２の取得要求に従って、ＵＥの識別子を含む第１の取得要求をＴＤＦに送信し、これにより、ＴＤＦは、第１の取得要求に従って、ＵＥの識別子に対応するパケットに関する統計量情報を収集する。
【０２４３】
６１３．ＰＣＲＦは、ＵＥの識別子に対応するパケットに関する統計量情報を受信し、パケットに関する統計量情報は、ＴＤＦによって収集され、ＴＤＦによって送信される。
【０２４４】
６１４．ＰＣＲＦは、パケットの統計量情報をＡＦに送信する。
【０２４５】
確かに、実用的なアプリケーションでは、前述のステップ６１１における第２の取得要求は、ＵＥの識別子を含み得ず、それに対応して、ステップ６１２における第１の取得要求は、ＵＥの識別子を含み得ない。
【０２４６】
図３を参照すると、この実施形態では、ステップ６０１およびステップ６０２において、またステップ６１１およびステップ６１２において、ＡＦとＰＣＲＦとの間のメッセージ交換は、以前に確立されているＲｘセッションを再利用するか、または新しい独立したセッションを確立することができる。新しい独立したセッションが確立される場合、ＡＦは、ＵＥの識別子を提供する必要があり、これは、限定はしないが、ＵＥのＩＰアドレス、ＡＰＮ、ＩＭＳＩ、ＭＳＩＳＤＮ、および同様のものを含み、これにより、ＰＣＲＦは、対応するＧｘセッション、Ｇｘｘセッション、またはＳｄセッションと関連付けられ得る。
【０２４７】
図６Ｃは、本発明の一実施形態によるパケットに関する情報を取得するための方法を示している。図６Ｃに示されているように、この実施形態においてパケットに関する情報を取得するための方法は、以下のように説明される。
【０２４８】
６２１．ＵＥがベアラーを確立した後に、ＰＣＲＦは、ＵＥの識別子および指定されたファイル・サーバー・アドレスに関する情報を含み、ＡＦによって送信される第２の取得要求を受信し、第２の取得要求は、ＰＣＲＦに、ＵＥの識別子に対応するＵＥとＰＤＮとの間にあり、ＰＣＥＦを通過するパケットに関する情報を、ＰＣＥＦから、取得することを指令するために使用される。
【０２４９】
例えば、パケットに関する情報は、単一のパケットに関する情報および／またはパケット統計量情報を含む。
【０２５０】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、パケットの内容の全部または一部、および同様のもののうちの１つまたは複数の種類の情報を含む。
【０２５１】
パケット統計量情報は、
パケットの数に関する統計量情報、異なるパケット長のパケットの数に関する統計量情報、パケット・トラフィック統計量情報、ＱｏＳ統計量情報、および同様のもののうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０２５２】
６２２．ＰＣＲＦは、第２の取得要求に従って、ＵＥの識別子および指定されたファイル・サーバー・アドレスに関する情報を含む第１の取得要求をＰＣＥＦに送信し、これにより、ＰＣＥＦは、第１の取得要求に従って、ＵＥの識別子に対応するパケットに関する情報を収集する。
【０２５３】
例えば、ＵＥの識別子は、限定はしないが、ＵＥのＩＰアドレス、ＡＰＮ、ＩＭＳＩ、ＭＳＩＳＤＮ、および同様のものを含む。
【０２５４】
６２３．ＰＣＥＦは、ＵＥの識別子に対応するパケットに関する収集された情報をファイルとして格納し、そのファイルを指定されたファイル・サーバー・アドレスに関する情報に対応するファイル・サーバーにアップロードする。
【０２５５】
すなわち、ＰＣＥＦは、ＰＣＲＦの要求に従ってパケットに関する情報に関する統計量を収集し、パケットに関する情報をファイルとして格納し、そのファイルを指定されたファイル・サーバーにアップロードする。複数のファイルをアップロードするためにステップ６２３が繰り返し複数回実行され得る。
【０２５６】
例えば、ファイル・サーバー・アドレスに関する情報は、限定はしないが、ファイル・サーバーのＩＰアドレス、ポート番号、ドメイン名、および同様のものを含む。
【０２５７】
ファイル・サーバー・アドレスに関する情報が、ドメイン名である場合、ＰＣＥＦは、ドメイン名に従ってファイル・サーバーのＩＰアドレスを取得することをさらに必要とし、それにより、ＩＰアドレスに従ってファイル・サーバーとのデータ伝送チャネルを確立し、１つまたは複数のファイルをファイル・サーバーにさらにアップロードすることに留意されたい。
【０２５８】
適宜、ＡＦは、送信された第２の取得要求において、指定されたファイル・サーバーの種類、ユーザー名、パスワード、ファイル形式、ファイル・サイズの上限、ファイルに対応する持続時間の上限、ファイルの数の上限、ファイル暗号化アルゴリズムおよびパラメータ、ファイル命名規則、ファイルをアップロードするための期間、またはファイルをアップロードするための遅延時間の上限などの、パラメータを伝送することができる。ファイル・サーバーの種類は、限定はしないが、ＦＴＰ、ＴＦＴＰ、および同様のものを含む。
【０２５９】
さらに、ＡＦは、送信された第２の取得要求で、インターネット・プロトコル・セキュリティ（Ｉｎｔｅｒｎｅｔ  Ｐｒｏｔｏｃｏｌ  Ｓｅｃｕｒｉｔｙ、略してＩＰＳｅｃ）に関係するパラメータなどの、ＰＣＥＦとファイル・サーバーとの間の暗号化データ伝送チャネルの確立に関係するパラメータをさらに指定することができる。
【０２６０】
確かに、別の実施形態では、パケットに関する情報を取得するための方法は、図に示されていない以下のステップ６２４からステップ６２６をさらに含むものとしてよい。
【０２６１】
６２４．ＰＣＲＦは、ＵＥの識別子を含み、ＡＦによって送信される第２のパケット情報キャンセル要求を受信し、第２のパケット情報キャンセル要求は、ＰＣＲＦに、ＵＥの識別子に対応するパケットに関する情報の取得をキャンセルするための第１のパケット情報キャンセル要求をＰＣＥＦに送信することを指令するために使用される。
【０２６２】
６２５．ＰＣＲＦは、第２のパケット情報キャンセル要求に従って、ＵＥの識別子を含む第１のパケット情報キャンセル要求をＰＣＥＦに送信し、これにより、ＰＣＥＦは、第１のパケット情報キャンセル要求を受信した後に、ＵＥの識別子に対応するパケットに関する情報を収集するオペレーションをキャンセルする。
【０２６３】
ＰＣＥＦが、第１のパケット情報キャンセル要求を受信する前に、ＵＥの識別子に対応するパケットに関する情報をさらに収集する場合に、適宜、ＰＣＥＦは、パケットに関する収集された情報をファイルにさらに書き込み、そのファイルをファイル・サーバーにアップロードすることができることに留意されたい。
【０２６４】
図６Ｄは、本発明の一実施形態によるパケットに関する情報を取得するための方法を示している。図６Ｄに示されているように、この実施形態においてパケットに関する情報を取得するための方法は、以下のように説明される。
【０２６５】
６３１．ＵＥがベアラーを確立した後に、ＰＣＲＦは、ＵＥの識別子および指定された報告先サーバー・アドレスに関する情報を含み、ＡＦによって送信される第２の取得要求を受信し、第２の取得要求は、ＰＣＲＦに、ＵＥの識別子に対応するＵＥとＰＤＮとの間にあるパケットに関する情報を、ＰＣＥＦから、取得することを指令するために使用される。
【０２６６】
例えば、パケットに関する情報は、単一のパケットに関する情報および／またはパケット統計量情報を含む。
【０２６７】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、パケットの内容の全部または一部、および同様のもののうちの１つまたは複数の種類の情報を含む。
【０２６８】
パケット統計量情報は、
パケットの数に関する統計量情報、異なるパケット長のパケットの数に関する統計量情報、パケット・トラフィック統計量情報、ＱｏＳ統計量情報、および同様のもののうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０２６９】
６３２．ＰＣＲＦは、第２の取得要求に従って、ＵＥの識別子および指定された報告先サーバー・アドレスに関する情報を含む第１の取得要求をＰＣＥＦに送信し、これにより、ＰＣＥＦは、第１の取得要求に従って、ＵＥの識別子に対応するパケットに関する情報を収集する。
【０２７０】
例えば、ＵＥの識別子は、限定はしないが、ＵＥのＩＰアドレス、ＡＰＮ、ＩＭＳＩ、ＭＳＩＳＤＮ、および同様のものを含む。
【０２７１】
６３３．ＰＣＥＦは、リアルタイムで、または定期的に、ＵＥの識別子に対応するパケットに関する収集された情報を指定された報告先サーバー・アドレスに関する情報に対応するサーバーにアップロードする。
【０２７２】
関係するサーバーは、図示されていない。
【０２７３】
この実施形態では、ＡＦは、ＰＣＲＦに、パケットに関する情報の取得を要求するための第２の取得要求を送信し、第２の取得要求において、報告先サーバー・アドレスに関する情報などの、パラメータをさらに指定する。それに対応して、ＰＣＲＦは、ＰＣＥＦに、パケットに関する情報の取得を要求するための第１の取得要求を送信し、第１の取得要求において、報告先サーバーに関する情報などの、パラメータをさらに指定する。ＰＣＥＦは、リアルタイムで、または準リアルタイムで、例えば、定期的に、ＰＣＲＦの指令に従ってパケットに関する収集された情報を指定されたサーバーに報告する。
【０２７４】
適宜、ＡＦは、第２の取得要求で、ＰＣＥＦと指定された報告先サーバーとの間のデータ伝送チャネルの確立に必要であり、ＡＦによって指定されたパラメータをさらに伝送することができ、これは採用されたプロトコルの種類および関係するパラメータを含み、プロトコルの種類は、限定はしないが、ＴＣＰ、ＵＤＰ、ＩＰＳｅｃ、ＴＬＳ、ＳＳＬ、およびＨＴＴＰを含む。
【０２７５】
別の実施形態において、ＡＦは、第２の取得要求で、報告されるべきパケットに関する情報の形式をさらに伝送することができ、この形式は、ＡＦによって指定される。
【０２７６】
特に、ＰＣＥＦがパケットに関する情報を収集し、パケットに関する情報をサーバーに報告するオペレーションは、繰り返し複数回実行され得る。
【０２７７】
前述の実施形態においてパケットに関する情報を取得するための方法により、ＰＣＲＦは、ＡＦの第２の取得要求を受信し、ＰＣＥＦから、ＵＥとＰＤＮとの間にあり、ＰＣＥＦを通過するパケットに関する情報をさらに取得し、次いで、ＡＦは、パケットに関する情報を取得することができ、パケットに関する情報は、ＰＣＥＦによって収集される。こうして、ＰＣＣシステムが従来技術ではユーザー装置に関係するパケットに関する情報を取得することができないという問題が解決される。
【０２７８】
図７Ａは、本発明の別の実施形態によるパケットに関する情報を取得するための方法を示している。図７Ａに示されているように、この実施形態においてパケットに関する情報を取得するための方法は、以下のように説明される。
【０２７９】
７０１．ＵＥがベアラーを確立した後に、第３のネットワーク要素は、第２の取得要求を第１のネットワーク要素に送信し、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第１のネットワーク要素は第２の取得要求に従って第２のネットワーク要素からパケットに関する情報を取得し、パケットに関する情報が第２のネットワーク要素によって収集される。
【０２８０】
７０２．第３のネットワーク要素はパケットに関する情報を受信し、パケットに関する情報は、第１のネットワーク要素によって送信される。
【０２８１】
適宜、第２の取得要求は、少なくともＵＥの識別子を含み、それに対応して、第３のネットワーク要素は、第２の取得要求を第１のネットワーク要素に送信し、これは
第３のネットワーク要素によって、ＵＥの識別子を含む第２の取得要求を第１のネットワーク要素に送信し、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からＵＥの識別子に対応するパケットに関する情報を取得し、パケットに関する情報が第２のネットワーク要素によって収集されることを含む。
【０２８２】
図７Ａに示されている実施形態に基づき、この実施形態においてパケットに関する情報を取得するための方法は、図７Ｂに示されているように、以下のステップ７０３をさらに含み得る。
【０２８３】
７０３．第３のネットワーク要素は、第２のパケット情報キャンセル要求を第１のネットワーク要素に送信し、第１のパケット情報キャンセル要求は、第１のネットワーク要素に、パケットに関する情報の取得をキャンセルするための第１のパケット情報キャンセル要求を第２のネットワーク要素に送信することを指令するために使用され、これにより、第２のネットワーク要素は、第１のパケット情報キャンセル要求に従って、パケットに関する情報を収集するオペレーションをキャンセルする。
【０２８４】
オプションのアプリケーションシナリオにおいて、前述のステップ７０１における第２の取得要求は、少なくとも指定された報告先サーバー・アドレスに関する情報を含み、
それに対応して、第３のネットワーク要素は、第２の取得要求を第１のネットワーク要素に送信し、これは
第３のネットワーク要素によって、指定された報告先サーバー・アドレスに関する情報を含む第２の取得要求を第１のネットワーク要素に送信し、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素がパケットに関する収集された情報を指定された報告先サーバー・アドレスに関する情報に対応するサーバーにアップロードすることを含む。
【０２８５】
別のオプションのアプリケーションシナリオにおいて、前述のステップ７０１における第２の取得要求は、少なくとも指定されたファイル・サーバー・アドレスに関する情報を含み、
それに対応して、第３のネットワーク要素は、第２の取得要求を第１のネットワーク要素に送信し、これは
第３のネットワーク要素によって、指定されたファイル・サーバー・アドレスに関する情報を含む第２の取得要求を第１のネットワーク要素に送信し、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素がパケットに関する収集された情報をファイルとして格納し、次いで、第２のネットワーク要素がそのファイルを指定されたファイル・サーバー・アドレスに関する情報に対応するファイル・サーバーにアップロードすることを含む。
【０２８６】
別のオプションのアプリケーションシナリオにおいて、前述のステップ７０１における第２の取得要求は、フィルタリング条件または指示情報をさらに含み、
それに対応して、第３のネットワーク要素は、第２の取得要求を第１のネットワーク要素に送信し、これは
第３のネットワーク要素によって、フィルタリング条件を含む第２の取得要求を第１のネットワーク要素に送信し、
第２の取得要求は、第１のネットワーク要素に、ＵＥとＰＤＮとの間にあり、第２のネットワーク要素を通過するパケットに関する情報を、フィルタリング条件に従って第２のネットワーク要素から、取得することを指令するために使用されることを含むか、
または
第３のネットワーク要素は、第２の取得要求を第１のネットワーク要素に送信し、これは
第３のネットワーク要素によって、指示情報を含む第２の取得要求を第１のネットワーク要素に送信し、第２の取得要求は、第１のネットワーク要素に、ＵＥとＰＤＮとの間にあり、第２のネットワーク要素を通過するパケットに関する情報を、指示情報に従って第２のネットワーク要素から、取得することを指令するために使用されることを含む。
【０２８７】
例えば、第３のネットワーク要素は、ＡＦまたは第１の機能公開システムであってよく、
第１のネットワーク要素は、ＰＣＲＦまたは第２の機能公開システムであってよく、
第２のネットワーク要素は、ＰＣＥＦ、ＴＤＦ、ＢＢＥＲＦ、ゲートウェイ、または基地局であってよい。
【０２８８】
前述の実施形態のうちのいずれか１つにおいて、パケットに関する情報は、単一のパケットに関する情報および／またはパケット統計量情報を含み得る。
【０２８９】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、およびパケットの内容の全部または一部のうちの１つまたは複数の種類の情報を含む。
【０２９０】
パケット統計量情報は、
パケットの数に関する統計量情報、異なるパケット長のパケットの数に関する統計量情報、パケット・トラフィック統計量情報、およびＱｏＳ統計量情報のうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０２９１】
フィルタリング条件は、
アプリケーション・タイプ、ＩＰ  ５つ組み情報、パケット方向、破棄パケット、許容可能パケット、または期間のうちの１つまたは複数の種類の情報を含み得る。
【０２９２】
指示情報は、
サンプリング・レート、サンプルの総数、サンプリング周期、単位時間内のサンプリングされたパケットの数の上限値、単位時間内のサンプリングされたトラフィックの上限値、パケット内容の長さの上限値、
パケット統計量収集を実行する頻度、パケットに関する情報を報告する頻度、パケットに関する情報を報告する回数、パケット情報統計量収集を実行するためのネットワーク要素、パケットに関する情報の取得を終了するための条件、および同様のもののうちの１つまたは複数の種類の情報を含む。
【０２９３】
パケットに関する情報の取得を終了するための条件は、時間、パケットの数、パケット・トラフィックがプリセット値に到達すること、サンプリングされたパケットの数がプリセットされた閾値に到達すること、サンプリングされたパケット・トラフィックが別のプリセットされた閾値に到達すること、または同様の条件を含む。
【０２９４】
前述の実施形態においてパケットに関する情報を取得するための方法により、第３のネットワーク要素は、第２の取得要求を第１のネットワーク要素に送信し、これにより、第２のネットワーク要素は、ＵＥとＰＤＮとの間にあり、第２のネットワーク要素を通過するパケットに関する情報を取得し、したがって、第３のネットワーク要素は、パケットに関する情報を取得することができ、パケットに関する情報は、第２のネットワーク要素によって収集される。こうして、ＰＣＣシステムが従来技術ではユーザー装置に関係するパケットに関する情報を取得することができないという問題が解決される。
【０２９５】
図８Ａは、本発明の別の実施形態によるパケットに関する情報を取得するための方法を示している。図８Ａに示されているように、この実施形態においてパケットに関する情報を取得するための方法は、以下のように説明される。
【０２９６】
８０１．ＵＥがベアラーを確立した後に、第２のネットワーク要素は、第１のネットワーク要素によって送信された第１の取得要求を受信し、第１の取得要求は、第２のネットワーク要素に、ＵＥとＰＤＮとの間にあり、第２のネットワーク要素を通過するパケットに関する情報を取得することを指令するために使用される。
【０２９７】
８０２．第２のネットワーク要素は、第１の取得要求に従ってパケットに関する情報を収集し、パケットに関する収集された情報を第１のネットワーク要素に送信する。
【０２９８】
オプションのアプリケーションシナリオにおいて、第１の取得要求は、第１のネットワーク要素が第３のネットワーク要素によって送信された第２の取得要求を受信した後に第１のネットワーク要素によって送信され得る。
【０２９９】
それに対応して、パケットに関する情報を受信した後に、そこで、パケットに関する情報が、第２のネットワーク要素によって送信され、第１のネットワーク要素は、パケットに関する情報を第３のネットワーク要素に送信する。
【０３００】
別のオプションのアプリケーションシナリオにおいて、第１の取得要求は、少なくともＵＥの識別子を含み、それに対応して、第２のネットワーク要素は、ＵＥの識別子を含み、第１のネットワーク要素によって送信される第１の取得要求を受信し、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【０３０１】
それに対応して、ステップ８０２は、特に以下のとおりのものとすることができる。第２のネットワーク要素は、第１の取得要求に従って、ＵＥの識別子に対応するパケットに関する情報を収集し、パケットに関する収集された情報を第１のネットワーク要素に送信する。
【０３０２】
第３のオプションのアプリケーションシナリオにおいて、前述のステップ８０１における第１の取得要求は、少なくとも指定されたファイル・サーバー・アドレスに関する情報を含み、
それに対応して、第２のネットワーク要素は、指定されたファイル・サーバー・アドレスに関する情報を含み、第１のネットワーク要素によって送信される第１の取得要求を受信し、ステップ８０２は、特に以下のとおりのものとすることができる。第２のネットワーク要素は、第１の取得要求に従ってパケットに関する情報を収集し、パケットに関する収集された情報をファイルとして格納し、ファイルを指定されたファイル・サーバー・アドレスに関する情報に対応するファイル・サーバーにアップロードする。
【０３０３】
例えば、前述の特定のステップ８０２において、ファイルを指定されたファイル・サーバー・アドレスに関する情報に対応するファイル・サーバーにアップロードするステップの前に、パケットに関する情報を取得するための方法は、さらに以下を含む。
【０３０４】
Ｍ０１．第２のネットワーク要素は、第１の取得要求に従ってパケットに関する情報を収集し、パケットに関する収集された情報をファイルとして格納し、第２のネットワーク要素は、指定されたファイル・サーバー・アドレスに関する情報に従ってファイル・サーバーとのデータ伝送チャネルを確立し、
それに対応して、ファイルは、データ伝送チャネルを通じて、指定されたファイル・サーバー・アドレスに関する情報に対応するファイル・サーバーにアップロードされる。
【０３０５】
第４のオプションのアプリケーションシナリオにおいて、ステップ８０１における第１の取得要求は、少なくとも指定された報告先サーバー・アドレスに関する情報を含み、
それに対応して、第２のネットワーク要素は、指定された報告先サーバー・アドレスに関する情報を含み、第１のネットワーク要素によって送信される第１の取得要求を受信し、ステップ８０２は、特に以下のとおりのものとすることができる。第２のネットワーク要素は、第１の取得要求に従ってパケットに関する情報を収集し、パケットに関する収集された情報を指定された報告先サーバー・アドレスに関する情報に対応するサーバーにアップロードする。
【０３０６】
例えば、前述の特定のステップ８０２において、パケットに関する収集された情報を指定された報告先サーバー・アドレスに関する情報に対応するサーバーにアップロードするステップの前に、パケットに関する情報を取得するための方法は、さらに以下を含む。
【０３０７】
Ｓ０１：第２のネットワーク要素は、指定された報告先サーバー・アドレスに関する情報に従ってサーバーとのデータ伝送チャネルを確立し、
さらに、第２のネットワーク要素は、第１の取得要求に従ってパケットに関する情報を収集し、データ伝送チャネルを通じて、パケットに関する収集された情報を指定された報告先サーバー・アドレスに関する情報に対応するサーバーにアップロードする。
【０３０８】
第５のオプションのアプリケーションシナリオにおいて、ステップ８０１における第１の取得要求は、少なくともフィルタリング条件または指示情報を含み、
それに対応して、第２のネットワーク要素は、フィルタリング条件を含み、第１のネットワーク要素によって送信される第１の取得要求を受信し、ステップ８０２は、特に以下のとおりのものとすることができる。第２のネットワーク要素は、第１の取得要求の中のフィルタリング条件に従ってパケットに関する情報を収集するか、
または
第２のネットワーク要素は、指示情報を含み、第１のネットワーク要素によって送信される第１の取得要求を受信し、ステップ８０２は、特に以下のとおりのものとすることができる。第２のネットワーク要素は、第１の取得要求の中の指示情報に従ってパケットに関する情報を収集する。
【０３０９】
図８Ａに示されている実施形態に基づき、パケットに関する情報を取得するための方法は、図８Ｂに示されているように、以下のステップ８０３をさらに含む。
【０３１０】
８０３．第２のネットワーク要素は、第１のネットワーク要素によって送信された第１のパケット情報キャンセル要求を受信し、第１のパケット情報キャンセル要求に従って、ＵＥとＰＤＮとの間にあり、第２のネットワーク要素を通過するパケットに関する情報の収集をキャンセルする。
【０３１１】
一アプリケーションシナリオにおいて、第１のパケット情報キャンセル要求は、第１のネットワーク要素が第３のネットワーク要素によって送信された第２のパケット情報キャンセル要求を受信した後に第１のネットワーク要素によって送信され得る。
【０３１２】
例えば、第３のネットワーク要素は、ＡＦまたは第１の機能公開システムであってよく、
第１のネットワーク要素は、ＰＣＲＦまたは第２の機能公開システムであってよく、
第２のネットワーク要素は、ＰＣＥＦ、ＴＤＦ、ＢＢＥＲＦ、ゲートウェイ、または基地局であってよい。
【０３１３】
パケットに関する情報は、単一のパケットに関する情報および／またはパケット統計量情報を含み得る。
【０３１４】
単一のパケットに関する情報は、
パケット・シーケンス番号、パケット方向、パケット受信タイムスタンプ、パケット送信タイムスタンプ、パケット・サイズ、パケット・ヘッダー・フィールド、パケットが破棄されるかどうかに関する情報、パケットの内容の全部または一部、および同様のもののうちの１つまたは複数の種類の情報を含む。
【０３１５】
パケット統計量情報は、
パケットの数に関する統計量情報、異なるパケット長のパケットの数に関する統計量情報、パケット・トラフィック統計量情報、ＱｏＳ統計量情報、および同様のもののうちの１つまたは複数の種類の情報を含み、ＱｏＳ統計量情報は、限定はしないが、最大帯域幅、最小帯域幅、平均帯域幅、利用可能な帯域幅、損失パケットの数、パケット損失率、ジッター、遅延、および同様のものを含む。
【０３１６】
前述の実施形態でパケットに関する情報を取得するための方法を用いることで、ＰＣＣシステムが従来技術ではユーザー装置に関係するパケットに関する情報を取得することができないという問題が解決される。
【０３１７】
図９は、本発明の一実施形態によるネットワーク要素の概略構造図である。図９に示されているように、この実施形態におけるネットワーク要素は、送信ユニット９１および受信ユニット９２を含む。
【０３１８】
送信ユニット９１は、ＵＥがベアラーを確立した後に、第１の取得要求を第２のネットワーク要素に送信するように構成され、第１の取得要求は、第２のネットワーク要素に、ＵＥとパケット・データ・ネットワークＰＤＮとの間にあり、第２のネットワーク要素を通過するパケットに関する情報を取得することを指令するために使用される。
【０３１９】
受信ユニット９２は、送信ユニット９１が第１の取得要求を送信した後に、パケットに関する情報を受信するように構成され、パケットに関する情報は、第２のネットワーク要素によって送信され、パケットに関する情報は、第１の取得要求に従って第２のネットワーク要素によって収集される。
【０３２０】
適宜、受信ユニット９２は、送信ユニット９１が第１の取得要求を送信する前に、第３のネットワーク要素によって送信された第２の取得要求を受信するようにさらに構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、
それに対応して、送信ユニット９１は、受信ユニット９２が第２の取得要求を受信した後に、第２の取得要求に従って第１の取得要求を第２のネットワーク要素に送信するように特に構成され、
パケットに関する情報を第３のネットワーク要素に送信するようにさらに構成され、パケットに関する情報は、受信ユニット９２によって受信される。
【０３２１】
一アプリケーションシナリオにおいて、送信ユニット９１は、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【０３２２】
別の可能なアプリケーションシナリオにおいて、受信ユニット９２は、送信ユニット９１が第１の取得要求を送信する前に、ＵＥの識別子を含み、第３のネットワーク要素によって送信される第２の取得要求を受信するように特に構成され、第２の取得要求は、ネットワーク要素に、ＵＥの識別子に対応するＵＥとＰＤＮとの間にあり、第２のネットワーク要素を通過するパケットに関する情報を、第２のネットワーク要素から、取得することを指令するために使用され、
送信ユニット９１は、受信ユニットが第２の取得要求を受信した後に、第２の取得要求に従って、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【０３２３】
第３の可能なアプリケーションシナリオにおいて、受信ユニット９２は、送信ユニット９１がパケットに関する情報を送信した後に、ＵＥの識別子を含み、第３のネットワーク要素によって送信される第２のパケット情報キャンセル要求を受信するようにさらに構成され、第２のパケット情報キャンセル要求は、ネットワーク要素に、第１のパケット情報キャンセル要求を第２のネットワーク要素に送信することを指令するために使用され、これにより、第２のネットワーク要素は、第１のパケット情報キャンセル要求に従って、ＵＥの識別子に対応するパケットに関する情報の取得をキャンセルし、
送信ユニット９１は、受信ユニット９２が第２のパケット情報キャンセル要求を受信した後に、ＵＥの識別子を含む第１のパケット情報キャンセル要求を第２のネットワーク要素に送信するように構成され、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルする。
【０３２４】
特に、第２のネットワーク要素が、第１のパケット情報キャンセル要求を受信する前に、ＵＥの識別子に対応するＵＥとＰＤＮとの間にあり、第２のネットワーク要素を通過するパケットに関する情報をさらに収集する場合に、
受信ユニット９２は、送信ユニット９１が第１のパケット情報キャンセル要求を送信した後に、パケットに関する情報を受信するようにさらに構成され、パケットに関する情報は、第２のネットワーク要素によって収集され、第２のネットワーク要素によって送信され、
送信ユニット９２は、パケットに関する情報を第３のネットワーク要素に送信するようにさらに構成され、パケットに関する情報は、受信ユニット９１によって受信される。
【０３２５】
第４の可能なアプリケーションシナリオにおいて、ネットワーク要素は、図示されていない判定ユニット９３をさらに含むものとしてよく、
判定ユニット９３は、受信ユニット９２が第２の取得要求を受信した後、および送信ユニット９１が第１の取得要求を送信する前に、ＵＥの認可情報がＵＥのサブスクリプション情報の中に存在することを判定するように構成され、
ＵＥの認可情報は、ＵＥがＵＥとＰＤＮとの間のパケットに関する情報の提供を許可するという情報である。
【０３２６】
第５の可能なアプリケーションシナリオにおいて、ネットワーク要素は、図示されていない取得ユニット９４および判定ユニット９３をさらに含むものとしてよく、
取得ユニット９４は、受信ユニット９２が第２の取得要求を受信した後、および送信ユニット９１が第１の取得要求を送信する前に、ＵＥの識別子に従ってサブスクリプション・プロファイル・リポジトリＳＰＲまたはユーザー・データ・リポジトリＵＤＲから、ＵＥの識別子に対応するＵＥのサブスクリプション情報を取得するように構成され、
判定ユニット９３は、取得ユニット９４がＵＥのサブスクリプション情報を取得した後に、ＵＥの認可情報がＵＥのサブスクリプション情報の中に存在することを判定するように構成され、
ＵＥの認可情報は、ＵＥがＵＥとＰＤＮとの間のパケットに関する情報の提供を許可するという情報である。
【０３２７】
第６の可能な実装方法において、送信ユニット９１は、受信ユニット９２が第２の取得要求を受信した後、および送信ユニット９１が第１の取得要求を送信する前に、認可要求をＵＥの識別子に対応するＵＥに送信するようにさらに構成され、認可要求は、ＵＥがＵＥとＰＤＮとの間のパケットに関する情報の提供を許可するという情報を含み、
ＵＥが、ＵＥとＰＤＮとの間のパケットに関する情報の提供を許可する場合に、受信ユニットは、送信ユニットが認可要求を送信した後に、認可要求に従ってＵＥによって送信されたＵＥの認可情報を受信するようにさらに構成され、
ＵＥの認可情報は、ＵＥがＵＥとＰＤＮとの間のパケットに関する情報の提供を許可するという情報である。
【０３２８】
第７の可能なアプリケーションシナリオにおいて、送信ユニット９１は、指定されたファイル・サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素がそのファイルを指定されたファイル・サーバー・アドレスに関する情報に対応するファイル・サーバーにアップロードする。
【０３２９】
第８の可能なアプリケーションシナリオにおいて、受信ユニット９２は、送信ユニット９１が第１の取得要求を送信する前に、指定されたファイル・サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードし、
送信ユニット９１は、受信ユニット９２が指定されたファイル・サーバー・アドレスに関する情報を含む第２の取得要求を受信した後に、指定されたファイル・サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【０３３０】
第９の可能なアプリケーションシナリオにおいて、送信ユニット９１は、指定された報告先サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【０３３１】
第１０の可能なアプリケーションシナリオにおいて、受信ユニット９２は、送信ユニット９１が第１の取得要求を送信する前に、指定された報告先サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報を指定された報告先サーバー・アドレスに関する情報に対応するサーバーにアップロードし、
送信ユニット９１は、受信ユニット９２が指定された報告先サーバー・アドレスに関する情報を含む第２の取得要求を受信した後に、指定された報告先サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【０３３２】
この実施形態では、第３のネットワーク要素は、ＡＦである。この場合、ネットワーク要素は、ＰＣＲＦまたは第２の機能公開システムであり、第２のネットワーク要素は、ＰＣＥＦ、ＴＤＦ、ＢＢＥＲＦ、ゲートウェイ、または基地局である。
【０３３３】
第３のネットワーク要素が、第１の機能公開システムである場合、ネットワーク要素は、ＰＣＲＦであり、第２のネットワーク要素は、ＰＣＥＦ、ＴＤＦ、ＢＢＥＲＦ、または同様のものである。
【０３３４】
第１１の可能なアプリケーションシナリオにおいて、送信ユニット９１は、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
指示情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【０３３５】
第１２の可能なアプリケーションシナリオにおいて、受信ユニット９２は、送信ユニット９１が第１の取得要求を送信する前に、フィルタリング条件を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報はフィルタリング条件に従って第２のネットワーク要素によって収集され、
送信ユニット９１は、受信ユニット９２がフィルタリング条件を含む第２の取得要求を受信した後に、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
受信ユニット９２は、送信ユニット９１が第１の取得要求を送信する前に、指示情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報は指示情報に従って第２のネットワーク要素によって収集され、
送信ユニット９１は、受信ユニット９２が指示情報を含む第２の取得要求を受信した後に、指示情報を含む第１の取得要求を送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【０３３６】
ネットワーク要素は、ＰＣＣシステム内に配置され得る。ネットワーク要素は、パケットに関する情報を取得するための方法を使用することによって、ＰＣＣシステムが従来技術ではユーザー装置に関係するパケットに関する情報を取得することができないという問題を解決することができる。
【０３３７】
本発明の別の態様によれば、一実施形態は、さらに、ネットワーク要素を実現するものである。この実施形態では、ネットワーク要素内の送信ユニットは、ＵＥがベアラーを確立した後に、第２の取得要求を第１のネットワーク要素に送信するように構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からパケットに関する情報を取得し、パケットに関する情報は、第２のネットワーク要素によって収集され、
受信ユニットは、送信ユニットが第２の取得要求を送信した後に、パケットに関する情報を受信するように構成され、パケットに関する情報は、第２のネットワーク要素によって収集され、第１のネットワーク要素によって送信される。
【０３３８】
適宜、送信ユニットは、ＵＥがベアラーを確立した後に、ＵＥの識別子を含む第２の取得要求を第１のネットワーク要素に送信するように特に構成されるものとしてよく、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からＵＥの識別子に対応するパケットに関する情報を取得し、パケットに関する情報は、第２のネットワーク要素によって収集される。
【０３３９】
一アプリケーションシナリオにおいて、送信ユニットは、受信ユニットがパケットに関する情報を受信した後に、第２のパケット情報キャンセル要求を第１のネットワーク要素に送信するようにさらに構成され、第２のパケット情報キャンセル要求は、第１のネットワーク要素に、パケットに関する情報の取得をキャンセルするための第１のパケット情報キャンセル要求を第２のネットワーク要素に送信することを指令するために使用され、これにより、第２のネットワーク要素は、第１のパケット情報キャンセル要求に従って、パケットに関する情報を収集するオペレーションをキャンセルする。
【０３４０】
別のアプリケーションシナリオにおいて、送信ユニットは、ＵＥがベアラーを確立した後に、指定された報告先サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素がパケットに関する収集された情報を指定された報告先サーバー・アドレスに関する情報に対応するサーバーにアップロードする。
【０３４１】
第３の可能なアプリケーションシナリオにおいて、送信ユニットは、ＵＥがベアラーを確立した後に、指定されたファイル・サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【０３４２】
本発明のこの実施形態では、ネットワーク要素は、ＡＦまたは第１の機能公開システムであってよく、特に、ネットワーク要素がＡＦである場合、第１のネットワーク要素は、ＰＣＲＦまたは第３の機能公開システムであってよく、第２のネットワーク要素は、ＰＣＥＦ、ＴＤＦ、ＢＢＥＲＦ、ゲートウェイ、または基地局であってよい。
【０３４３】
第４の可能なアプリケーションシナリオにおいて、送信ユニットは、ＵＥがベアラーを確立した後に、フィルタリング条件を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、フィルタリング条件に従って第２のネットワーク要素から、取得することを指令するために使用されるか、または
ＵＥがベアラーを確立した後に、指示情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、指示情報に従って第２のネットワーク要素から、取得することを指令するために使用される。
【０３４４】
ネットワーク要素は、ＰＣＣシステム内に配置され得る。ネットワーク要素は、パケットに関する情報を取得するための方法を使用することによって、ＰＣＣシステムが従来技術ではユーザー装置に関係するパケットに関する情報を取得することができないという問題を解決することができる。
【０３４５】
本発明のさらに別の態様によれば、一実施形態は、さらに、図１０に示されているネットワーク要素を実現するものであり、これは、受信ユニット１００１、収集ユニット１００２、および送信ユニット１００３を含み、
受信ユニット１００１は、ＵＥがベアラーを確立した後に、第１のネットワーク要素によって送信された第１の取得要求を受信するように構成され、第１の取得要求は、ネットワーク要素に、ＵＥとＰＤＮとの間にあり、ネットワーク要素を通過するパケットに関する情報を取得することを指令するために使用され、
収集ユニット１００２は、受信ユニット１００１が第１の取得要求を受信した後に、第１の取得要求に従ってパケットに関する情報を収集するように構成され、
送信ユニット１００３は、パケットに関する情報を第１のネットワーク要素に送信するように構成され、パケットに関する情報は、収集ユニット１００２によって収集される。
【０３４６】
適宜、受信ユニット１００１は、第１のネットワーク要素によって送信された第１のパケット情報キャンセル要求を受信するようにさらに構成される。
【０３４７】
この実施形態では、第１の取得要求は、第１のネットワーク要素が第３のネットワーク要素によって送信された第２の取得要求を受信した後に第１のネットワーク要素によって送信される。
【０３４８】
可能な一アプリケーションシナリオにおいて、受信ユニット１００１は、ＵＥがベアラーを確立した後に、ＵＥの識別子を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得することを指令するために使用され、
収集ユニット１００２は、受信ユニット１００１がＵＥの識別子を含む第１の取得要求を受信した後に、第１の取得要求に従って、ＵＥの識別子に対応するパケットに関する情報を収集するように特に構成される。
【０３４９】
第２の可能なアプリケーションシナリオでは、収集ユニット１００２は、受信ユニット１００１が第１のパケット情報キャンセル要求を受信した後に、第１のパケット情報キャンセル要求に従って、ＵＥとＰＤＮとの間にあり、ネットワーク要素を通過するパケットに関する情報の収集をキャンセルするようにさらに構成される。
【０３５０】
この実施形態では、第１のパケット情報キャンセル要求は、第１のネットワーク要素が第３のネットワーク要素によって送信された第２のパケット情報キャンセル要求を受信した後に第１のネットワーク要素によって送信される。
【０３５１】
第３の可能なアプリケーションシナリオにおいて、受信ユニット１００１は、ＵＥがベアラーを確立した後に、指定されたファイル・サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得すること、およびパケットに関する情報をファイルとして格納することを指令するために使用され、これにより、第２のネットワーク要素は、そのファイルを指定されたファイル・サーバー・アドレスに関する情報に対応するファイル・サーバーにアップロードし、
収集ユニット１００２は、受信ユニット１００３が指定されたファイル・サーバー・アドレスに関する情報を含む第１の取得要求を受信した後に、第１の取得要求に従ってパケットに関する情報を収集し、これにより第２のネットワーク要素がパケットに関する収集された情報をファイルとして格納するように特に構成され、
送信ユニット１００３は、収集ユニット１００２によって格納されているファイルを指定されたファイル・サーバー・アドレスに関する情報に対応するファイル・サーバーにアップロードするようにさらに構成されるか、
または
受信ユニット１００１は、ＵＥがベアラーを確立した後に、指定された報告先サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する収集された情報を指定された報告先サーバー・アドレスに関する情報に対応するサーバーにアップロードすることを指令するために使用され、
収集ユニット１００２は、受信ユニット１００１が指定された報告先サーバー・アドレスに関する情報を含む第１の取得要求を受信した後に、第１の取得要求に従ってパケットに関する情報を収集するように特に構成され、
送信ユニット１００３は、パケットに関する情報を指定された報告先サーバー・アドレスに関する情報に対応するサーバーにアップロードするようにさらに構成され、パケットに関する情報は、収集ユニット１００２によって収集される。
【０３５２】
第４の可能なアプリケーションシナリオにおいて、ネットワーク要素は、図示されていない確立ユニット１００４をさらに含むものとしてよく、確立ユニット１００４は、送信ユニット１００３が収集ユニット１００２によって格納されているファイルを送信する前に、指定されたファイル・サーバー・アドレスに関する情報に従ってファイル・サーバーとのデータ伝送チャネルを確立するようにさらに構成されるか、
または
確立ユニット１００４は、送信ユニット１００３がパケットに関する情報を送信する前に、指定された報告先サーバー・アドレスに関する情報に従ってサーバーとのデータ伝送チャネルを確立するように構成され、パケットに関する情報は、収集ユニット１００２によって収集される。
【０３５３】
第５の可能な実装方法において、受信ユニット１００１は、ＵＥがベアラーを確立した後に、フィルタリング条件を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、フィルタリング条件に従って取得することを指令するために使用されるか、
または
ＵＥがベアラーを確立した後に、指示情報を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、指示情報に従って取得することを指令するために使用される。
【０３５４】
本発明のこの実施形態では、第３のネットワーク要素は、ＡＦであってよく、第１のネットワーク要素は、ＰＣＲＦまたは第２の機能公開システムであってよく、ネットワーク要素は、ＰＣＥＦ、ＴＤＦ、ＲＦ、ゲートウェイ、基地局、もしくは同様のものであるか、または
第３のネットワーク要素は、第１の機能公開システムであってよく、第１のネットワーク要素は、ＰＣＲＦであってよく、ネットワーク要素は、ＰＣＥＦ、ＴＤＦ、ＲＦ、ゲートウェイ、基地局、もしくは同様のものである。
【０３５５】
図１０に示されているネットワーク要素は、ＰＣＥＦ、ＴＤＦ、またはＢＢＥＲＦであってよい。
【０３５６】
ネットワーク要素は、ＰＣＣシステム内に配置され得る。ネットワーク要素は、パケットに関する情報を取得するための方法を使用することによって、ＰＣＣシステムが従来技術ではユーザー装置に関係するパケットに関する情報を取得することができないという問題を解決することができる。
【０３５７】
図１１は、本発明の別の実施形態によるネットワーク要素の概略構造図である。図１１に示されているネットワーク要素は、送信機１１０１と受信機１１０２とを含み、
送信機１１０１は、ユーザー装置ＵＥがベアラーを確立した後に、第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、
受信機１１０２は、送信機１１０１が第１の取得要求を送信した後に、パケットに関する情報を受信するように構成され、パケットに関する情報は、第２のネットワーク要素によって送信され、パケットに関する情報は、第１の取得要求に従って第２のネットワーク要素によって収集される。
【０３５８】
適宜、受信機１１０２は、送信機１１０１が第１の取得要求を送信する前に、第３のネットワーク要素によって送信された第２の取得要求を受信するようにさらに構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、
送信機１１０１は、受信機１１０２が第２の取得要求を受信した後に、第２の取得要求に従って第１の取得要求を第２のネットワーク要素に送信するように特に構成され、パケットに関する情報を第３のネットワーク要素に送信するようにさらに構成され、パケットに関する情報は、受信機１１０２によって受信される。
【０３５９】
例えば、ネットワーク要素は、ＰＣＲＦまたは機能公開システムであってよい。
【０３６０】
可能な一アプリケーションシナリオにおいて、送信機１１０１は、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【０３６１】
第２の可能なアプリケーションシナリオでは、受信機１１０２は、送信機１１０１が第１の取得要求を送信する前に、ＵＥの識別子を含み、第３のネットワーク要素によって送信される第２の取得要求を受信するように特に構成され、第２の取得要求は、ネットワーク要素に、ＵＥの識別子に対応するＵＥとＰＤＮとの間にあり、第２のネットワーク要素を通過するパケットに関する情報を、第２のネットワーク要素から、取得することを指令するために使用され、
送信機１１０１は、受信機１１０２が第２の取得要求を受信した後に、第２の取得要求に従って、ＵＥの識別子を含む第１の取得要求を第２のネットワーク要素に送信するように特に構成され、第１の取得要求は、第２のネットワーク要素に、ＵＥの識別子に対応するＵＥとＰＤＮとの間にあり、第２のネットワーク要素を通過するパケットに関する情報を取得することを指令するために使用される。
【０３６２】
第３の可能なアプリケーションシナリオにおいて、受信機１１０２は、送信機１１０１がパケットに関する情報を送信した後に、ＵＥの識別子を含み、第３のネットワーク要素によって送信される第２のパケット情報キャンセル要求を受信するようにさらに構成され、第２のパケット情報キャンセル要求は、ネットワーク要素に、第１のパケット情報キャンセル要求を第２のネットワーク要素に送信することを指令するために使用され、これにより、第２のネットワーク要素は、第１のパケット情報キャンセル要求に従って、パケットに関する情報の取得をキャンセルし、パケットに関する情報は、ＵＥの識別子に対応するパケットに関する情報であり、
送信機１１０１は、受信機１１０２が第２のパケット情報キャンセル要求を受信した後に、ＵＥの識別子を含む第１のパケット情報キャンセル要求を第２のネットワーク要素に送信するように構成され、これにより、第２のネットワーク要素が、第１のパケット情報キャンセル要求を受信した後に、ＵＥの識別子に対応するＵＥとＰＤＮとの間にあり、第２のネットワーク要素を通過するパケットに関する情報の収集をキャンセルする。
【０３６３】
第４の可能なアプリケーションシナリオにおいて、第２のネットワーク要素が、第１のパケット情報キャンセル要求を受信する前に、ＵＥの識別子に対応するＵＥとＰＤＮとの間にあり、第２のネットワーク要素を通過するパケットに関する情報をさらに収集する場合に、
受信機１１０２は、送信機１１０１が第１のパケット情報キャンセル要求を送信した後に、パケットに関する情報を受信するようにさらに構成され、パケットに関する情報は、第２のネットワーク要素によって収集され、第２のネットワーク要素によって送信され、  送信機１１０１は、パケットに関する情報を第３のネットワーク要素に送信するようにさらに構成され、パケットに関する情報は、受信機１１０２によって受信される。
【０３６４】
第５の可能なアプリケーションシナリオにおいて、ネットワーク要素は、図示されていないプロセッサをさらに含むものとしてよく、プロセッサは、受信機１１０２が第２の取得要求を受信した後、および送信機１１０１が第１の取得要求を送信する前に、ＵＥの認可情報がＵＥのサブスクリプション情報の中に存在することを判定するように構成され、  ＵＥの認可情報は、ＵＥがＵＥとＰＤＮとの間のパケットに関する情報の提供を許可するという情報である。
【０３６５】
第６の可能なアプリケーションシナリオにおいて、プロセッサは、受信機が第２の取得要求を受信した後、および送信機が第１の取得要求を送信する前に、ＵＥの識別子に従ってサブスクリプション・プロファイル・リポジトリＳＰＲまたはユーザー・データ・リポジトリＵＤＲから、ＵＥの識別子に対応するＵＥのサブスクリプション情報を取得し、ＵＥの認可情報がＵＥのサブスクリプション情報の中に存在することを判定するように構成され、
ＵＥの認可情報は、ＵＥがＵＥとＰＤＮとの間のパケットに関する情報の提供を許可するという情報である。
【０３６６】
第７の可能なアプリケーションシナリオにおいて、送信機１１０１は、受信機１１０２が第２の取得要求を受信した後、および送信機１１０１が第１の取得要求を送信する前に、認可要求をＵＥの識別子に対応するＵＥに送信するようにさらに構成され、認可要求は、ＵＥがＵＥとＰＤＮとの間のパケットに関する情報の提供を許可するという情報を含み、
ＵＥが、ＵＥとＰＤＮとの間のパケットに関する情報の提供を許可する場合に、受信機は、送信機が認可要求を送信した後に、認可要求に従ってＵＥによって送信されたＵＥの認可情報を受信するようにさらに構成され、
ＵＥの認可情報は、ＵＥがＵＥとＰＤＮとの間のパケットに関する情報の提供を許可するという情報である。
【０３６７】
第８の可能なアプリケーションシナリオにおいて、送信機１１０１は、指定されたファイル・サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【０３６８】
第９の可能なアプリケーションシナリオにおいて、受信機１１０２は、送信機１１０１が第１の取得要求を送信する前に、指定されたファイル・サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワークは、パケットに関する収集された情報をファイルとして格納し、次いで、第２のネットワーク要素は、そのファイルを指定されたファイル・サーバー・アドレスに関する情報に対応するファイル・サーバーにアップロードし、
送信機１１０１は、受信機１１０２が指定されたファイル・サーバー・アドレスに関する情報を含む第２の取得要求を受信した後に、指定されたファイル・サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【０３６９】
第１０の可能なアプリケーションシナリオにおいて、送信機１１０１は、指定された報告先サーバー・アドレスに関する情報を含む第１の取得要求を第２のネットワーク要素に送信するように特に構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【０３７０】
第１１の可能なアプリケーションシナリオにおいて、受信機１１０２は、送信機１１０１が第１の取得要求を送信する前に、指定された報告先サーバー・アドレスに関する情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、これにより、第２のネットワークは、パケットに関する収集された情報を指定された報告先サーバー・アドレスに関する情報に対応するサーバーにアップロードし、
送信機１１０１は、受信機１１０２が指定された報告先サーバー・アドレスに関する情報を含む第２の取得要求を受信した後に、指定された報告先サーバー・アドレスに関する情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を取得することを指令するために使用され、これにより、第２のネットワーク要素は、パケットに関する収集された情報を指定された報告先サーバー・アドレスに関する情報に対応するサーバーにアップロードする。
【０３７１】
第３のネットワーク要素は、ＡＦまたは第１の機能公開システムであってよく、ネットワーク要素は、ＰＣＲＦまたは第２の機能公開システムであってよく、第２のネットワーク要素は、ＰＣＥＦ、ＴＤＦ、ＢＢＥＲＦ、ゲートウェイ、基地局、または同様のものであってよい。
【０３７２】
第１１の可能なアプリケーションシナリオにおいて、送信機１１０１は、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
指示情報を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【０３７３】
第１２の可能なアプリケーションシナリオにおいて、受信機１１０２は、送信機１１０１が第１の取得要求を送信する前に、フィルタリング条件を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報はフィルタリング条件に従って第２のネットワーク要素によって収集され、
送信機１１０１は、受信機がフィルタリング条件を含む第２の取得要求を受信した後に、フィルタリング条件を含む第１の取得要求を第２のネットワーク要素に送信するように構成され、第１の取得要求は、第２のネットワーク要素に、ＵＥとＰＤＮとの間にあり、第２のネットワーク要素を通過するパケットに関する情報を、フィルタリング条件に従って、取得することを指令するために使用されるか、
または
受信機１１０２は、送信機１１０１が第１の取得要求を送信する前に、指示情報を含み、第３のネットワーク要素によって送信される第２の取得要求を受信するように構成され、第２の取得要求は、ネットワーク要素に、ＵＥとＰＤＮとの間にあり、第２のネットワーク要素を通過するパケットに関する情報を、第２のネットワーク要素から、取得することを指令するために使用され、パケットに関する情報は指示情報に従って第２のネットワーク要素によって収集され、
送信機１１０１は、受信機１１０２が指示情報を含む第２の取得要求を受信した後に、指示情報を含む第１の取得要求を送信するように構成され、第１の取得要求は、第２のネットワーク要素に、ＵＥとＰＤＮとの間にあり、第２のネットワーク要素を通過するパケットに関する情報を、指示情報に従って、取得することを指令するために使用される。
【０３７４】
ネットワーク要素は、ＰＣＣシステム内に配置され得る。ネットワーク要素は、パケットに関する情報を取得するための方法を使用することによって、ＰＣＣシステムが従来技術ではユーザー装置に関係するパケットに関する情報を取得することができないという問題を解決することができる。
【０３７５】
本発明の一実施形態の別の態様によれば、本発明のこの実施形態は、ネットワーク要素をさらに実現し、ネットワーク要素は、送信機および受信機を含み、
送信機は、ユーザー装置ＵＥがベアラーを確立した後に、第２の取得要求を第１のネットワーク要素に送信するように構成され、第２の取得要求は、第１のネットワーク要素に、ＵＥとパケット・データ・ネットワークＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からパケットに関する情報を取得し、パケットに関する情報は、第２のネットワーク要素によって収集され、
受信機は、送信機が第２の取得要求を送信した後に、パケットに関する情報を受信するように構成され、パケットに関する情報は、第２のネットワーク要素によって収集され、第１のネットワーク要素によって送信される。
【０３７６】
オプションのアプリケーションシナリオにおいて、送信機は、ＵＥがベアラーを確立した後に、ＵＥの識別子を含む第２の取得要求を第１のネットワーク要素に送信するように特に構成され、第２の取得要求は、第１のネットワーク要素に、ＵＥの識別子に対応するＵＥとＰＤＮとの間にあり、第２のネットワーク要素を通過するパケットに関する情報を、第２のネットワーク要素から、取得することを指令するために使用され、これにより、第１のネットワーク要素は、第２の取得要求に従って第２のネットワーク要素からＵＥの識別子に対応するパケットに関する情報を取得し、パケットに関する情報は、第２のネットワーク要素によって収集される。
【０３７７】
例えば、ネットワーク要素は、ＡＦまたは機能公開システムであってよい。
【０３７８】
第２の可能なアプリケーションシナリオでは、送信機は、受信機がパケットに関する情報を受信した後に、第２のパケット情報キャンセル要求を第１のネットワーク要素に送信するようにさらに構成され、第２のパケット情報キャンセル要求は、第１のネットワーク要素に、パケットに関する情報の取得をキャンセルするための第１のパケット情報キャンセル要求を第２のネットワーク要素に送信することを指令するために使用され、これにより、第２のネットワーク要素は、第１のパケット情報キャンセル要求に従って、パケットに関する情報を収集するオペレーションをキャンセルする。
【０３７９】
第３の可能なアプリケーションシナリオにおいて、送信機は、ＵＥがベアラーを確立した後に、指定された報告先サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素がパケットに関する収集された情報を指定された報告先サーバー・アドレスに関する情報に対応するサーバーにアップロードする。
【０３８０】
第４の可能なアプリケーションシナリオにおいて、送信機は、ＵＥがベアラーを確立した後に、指定されたファイル・サーバー・アドレスに関する情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、第２のネットワーク要素から、取得することを指令するために使用され、これにより、第２のネットワーク要素は、パケットに関する収集された情報をファイルとして格納し、次いで、第２のネットワーク要素は、そのファイルを指定されたファイル・サーバー・アドレスに関する情報に対応するファイル・サーバーにアップロードする。
【０３８１】
この実施形態では、ネットワーク要素は、ＡＦまたは第１の機能公開システムであってよく、第１のネットワーク要素は、ＰＣＲＦまたは第２の機能公開システムであってよく、第２のネットワーク要素は、ＰＣＥＦ、ＴＤＦ、ＢＢＥＲＦ、ゲートウェイ、または基地局であってよい。
【０３８２】
第５の可能なアプリケーションシナリオにおいて、送信機は、ＵＥがベアラーを確立した後に、フィルタリング条件を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、フィルタリング条件に従って第２のネットワーク要素から、取得することを指令するために使用されるか、または
ＵＥがベアラーを確立した後に、指示情報を含む第２の取得要求を第１のネットワーク要素に送信するように特に構成され、第２の取得要求は、第１のネットワーク要素に、ＵＥとＰＤＮとの間にあり、第２のネットワーク要素を通過するパケットに関する情報を、指示情報に従って第２のネットワーク要素から、取得することを指令するために使用される。
【０３８３】
ネットワーク要素は、ＰＣＣシステム内に配置され得る。ネットワーク要素は、パケットに関する情報を取得するための方法を使用することによって、ＰＣＣシステムが従来技術ではユーザー装置に関係するパケットに関する情報を取得することができないという問題を解決することができる。
【０３８４】
本発明の一実施形態のさらに別の態様によれば、本発明のこの実施形態は、ネットワーク要素をさらに実現する。図１２に示されているように、この実施形態におけるネットワーク要素は、受信機１２０１、プロセッサ１２０２、および送信機１２０３を含み、
受信機１２０１は、ユーザー装置ＵＥがベアラーを確立した後に、第１のネットワーク要素によって送信された第１の取得要求を受信するように構成され、第１の取得要求は、ネットワーク要素に、ＵＥとパケット・データ・ネットワークＰＤＮとの間にあり、ネットワーク要素を通過するパケットに関する情報を取得することを指令するために使用され、
プロセッサ１２０２は、受信機１２０１が第１の取得要求を受信した後に、第１の取得要求に従ってパケットに関する情報を収集するように構成され、
送信機１２０３は、パケットに関する情報を第１のネットワーク要素に送信するように構成され、パケットに関する情報は、プロセッサ１２０２によって収集される。
【０３８５】
適宜、受信機１２０１は、第１のネットワーク要素によって送信された第１のパケット情報キャンセル要求を受信するようにさらに構成され、
それに対応して、プロセッサ１２０２は、受信機１２０１が第１のパケット情報キャンセル要求を受信した後に、第１のパケット情報キャンセル要求に従って、ＵＥとＰＤＮとの間にあり、ネットワーク要素を通過するパケットに関する情報の収集をキャンセルするように構成される。この実施形態では、第１の取得要求は、第１のネットワーク要素が第３のネットワーク要素によって送信された第２の取得要求を受信した後に第１のネットワーク要素によって送信される。
【０３８６】
オプションのアプリケーションシナリオにおいて、受信機１２０１は、ＵＥがベアラーを確立した後に、ＵＥの識別子を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得することを指令するために使用され、
プロセッサ１２０２は、受信機１２０１がＵＥの識別子を含む第１の取得要求を受信した後に、第１の取得要求に従って、ＵＥの識別子に対応するパケットに関する情報を収集するように特に構成される。
【０３８７】
第２のオプションのアプリケーションシナリオでは、受信機１２０１は、送信機１２０３がパケットに関する情報を送信した後に、第１のネットワーク要素によって送信された第１のパケット情報キャンセル要求を受信し、第１のパケット情報キャンセル要求に従って、ＵＥとＰＤＮとの間にあり、第２のネットワーク要素を通過するパケットに関する情報の収集をキャンセルするように構成される。
【０３８８】
第３のオプションのアプリケーションシナリオにおいて、第１のパケット情報キャンセル要求は、第１のネットワーク要素が第３のネットワーク要素によって送信された第２のパケット情報キャンセル要求を受信した後に第１のネットワーク要素によって送信される。
【０３８９】
第４のオプションのアプリケーションシナリオにおいて、受信機１２０１は、ＵＥがベアラーを確立した後に、指定されたファイル・サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する情報をファイルとして格納し、指定されたファイル・サーバー・アドレスに関する情報に対応するファイル・サーバーにファイルをアップロードすることを指令するために使用され、
プロセッサ１２０２は、受信機１２０１が指定されたファイル・サーバー・アドレスに関する情報を含む第１の取得要求を受信した後に、第１の取得要求に従ってパケットに関する情報を収集し、パケットに関する収集された情報をファイルとして格納するように特に構成され、
送信機１２０３は、プロセッサ１２０２によって格納されているファイルを指定されたファイル・サーバー・アドレスに関する情報に対応するファイル・サーバーにアップロードするようにさらに構成されるか、
または
受信機１２０１は、ＵＥがベアラーを確立した後に、指定された報告先サーバー・アドレスに関する情報を含み、第１のネットワーク要素によって送信される第１の取得要求を受信するように特に構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を取得し、パケットに関する収集された情報を指定された報告先サーバー・アドレスに関する情報に対応するサーバーにアップロードすることを指令するために使用され、
プロセッサ１２０２は、受信機１２０１が指定された報告先サーバー・アドレスに関する情報を含む第１の取得要求を受信した後に、第１の取得要求に従ってパケットに関する情報を収集するように特に構成され、
送信機１２０３は、パケットに関する情報を指定された報告先サーバー・アドレスに関する情報に対応するサーバーにアップロードするようにさらに構成され、パケットに関する情報は、プロセッサ１２０２によって収集される。
【０３９０】
第５のオプションのアプリケーションシナリオにおいて、プロセッサ１２０２は、送信機がプロセッサ１２０２によって格納されているファイルを送信する前に、指定されたファイル・サーバー・アドレスに関する情報に従ってファイル・サーバーとのデータ伝送チャネルを確立するようにさらに構成されるか、
または
送信機１２０３がパケットに関する情報を送信する前に、指定された報告先サーバー・アドレスに関する情報に従ってサーバーとのデータ伝送チャネルを確立するように構成され、パケットに関する情報は、プロセッサによって収集される。
【０３９１】
第６のオプションのアプリケーションシナリオにおいて、受信機１２０１は、ＵＥがベアラーを確立した後に、フィルタリング条件を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、フィルタリング条件に従って取得することを指令するために使用されるか、
または
ＵＥがベアラーを確立した後に、指示情報を含み、第１のネットワーク要素によって送信される第１の取得要求を受信するように構成され、第１の取得要求は、第２のネットワーク要素に、ＵＥの識別子に対応するＵＥとパケット・データ・ネットワークＰＤＮとの間にあり、第２のネットワーク要素を通過するパケットに関する情報を、指示情報に従って取得することを指令するために使用される。
【０３９２】
例えば、ネットワーク要素は、ＰＣＥＦ、ＴＤＦ、またはＢＢＥＲＦであってよい。
【０３９３】
ネットワーク要素は、ＰＣＣシステム内に配置され得る。ネットワーク要素は、パケットに関する情報を取得するための方法を使用することによって、ＰＣＣシステムが従来技術ではユーザー装置に関係するパケットに関する情報を取得することができないという問題を解決することができる。
【０３９４】
ネットワーク要素の前述の実施形態において、それぞれの機能ユニットの分割は、説明例の１つにすぎないことは理解されるべきである。実用的なアプリケーションにおいて、前述の機能は、要求に応じて、例えば、対応するハードウェア構成の要求条件またはソフトウェア実装における利便性を考慮することによって、異なる機能ユニットに割り当てられ完全なものとすることができる。すなわち、ネットワーク要素の内部構造は、前述の機能のすべてまたは一部を達成するためにいくつかの異なる機能ユニットに分割される。さらに、実用的なアプリケーションにおいて、実施形態における対応する機能ユニットは、対応するハードウェアによって実装され得るか、または対応するソフトウェアを実行することにより対応するハードウェアによって達成され得る。例えば、前述の送信モジュールは、送信機などの、前述の送信ユニットの機能を実行することができるハードウェアであるか、または前述の機能を遂行するように対応するコンピュータ・プログラムを実行することができる通常のプロセッサもしくは別のハードウェア・デバイスであってよい。別の例では、前述の収集ユニットは、プロセッサなどの、前述の収集ユニットの機能を実行することができるハードウェアであるか、または前述の機能を遂行するように対応するコンピュータ・プログラムを実行することができる別のハードウェア・デバイスであってよい。さらに別の例では、前述の受信ユニットは、受信機などの、前述の受信ユニットの機能を実行することができるハードウェアであるか、または前述の機能を遂行するように対応するコンピュータ・プログラムを実行することができる通常のプロセッサもしくは別のハードウェア・デバイスであってよい（前述の記述原理は、本発明において実現されるすべての実施形態に適用され得る）。
【０３９５】
当業者であれば、前述の方法実施形態のステップの全部または一部が関連するハードウェアに指令するプログラムによって実装され得ることを理解できる。前述のプログラムは、コンピュータ可読記憶媒体に格納され得る。プログラムが実行されるときに、前述の方法実施形態のステップが実行される。前述の記憶媒体は、ＲＯＭ、ＲＡＭ、磁気ディスク、または光ディスクなどの、プログラム・コードを格納することができるさまざまな媒体を含む。
【０３９６】
最後に、前記の実施形態は、本発明を制限するのではなく本発明の技術的解決方法を説明することを意図されているにすぎないことに留意されたい。本発明は、前述の実施形態を参照しつつ詳しく説明されているけれども、当業者であれば、当業者が前述の実施形態において説明されている技術的解決方法に修正を加えるか、またはその一部または全部の技術的特徴に対する同等の置き換えを行うことができるが、これらの修正または置き換えを行っても対応する技術的解決方法の本質が本発明の実施形態の技術的解決方法の範囲から逸脱することがないことを理解するであろう。
【図１】
2017163571.tif 000003
【図２】
2017163571.tif 000004
【図３】
2017163571.tif 000005
【図４Ａ】
2017163571.tif 000006
【図４Ｂ】
2017163571.tif 000007
【図４Ｃ】
2017163571.tif 000008
【図４Ｄ】
2017163571.tif 000009
【図４Ｅ】
2017163571.tif 000010
【図４Ｆ】
2017163571.tif 000011
【図５Ａ】
2017163571.tif 000012
【図５Ｂ】
2017163571.tif 000013
【図５Ｃ】
2017163571.tif 000014
【図５Ｄ】
2017163571.tif 000015
【図６Ａ】
2017163571.tif 000016
【図６Ｂ】
2017163571.tif 000017
【図６Ｃ】
2017163571.tif 000018
【図６Ｄ】
2017163571.tif 000019
【図７Ａ】
2017163571.tif 000020
【図７Ｂ】
2017163571.tif 000021
【図８Ａ】
2017163571.tif 000022
【図８Ｂ】
2017163571.tif 000023
【図９】
2017163571.tif 000024
【図１０】
2017163571.tif 000025
【図１１】
2017163571.tif 000026
【図１２】
2017163571.tif 000027